(57)【要約】ケージ基部またはケージカバーから、１つ以上のケージ構成要素または１つ以上のケージ構成要素搭載部材を係合解除および／または圧潰するように入れ子にされ得る動物格納ケージ基部およびカバーが、本明細書において提供される。入れ子にすることによって、ケージ基部およびケージカバーからケージ構成要素またはケージ構成要素搭載部材を除去する方法も、本明細書において提供される。取り外し可能な動物格納ケージ構成要素グロメットおよびその使用方法も、本明細書において提供される。
2021528064.tif 000002
【特許請求の範囲】
【請求項１】
動物格納ケージ基部であって、前記動物格納ケージ基部は、
底部および１つ以上の壁であって、前記壁は、内部表面と、外部表面とを備え、前記ケージ基部は、別のケージ基部と入れ子になるために構成されている、底部および壁と、
前記ケージ基部の一部と係合された１つ以上のケージ構成要素および／または１つ以上のケージ構成要素搭載部材と
を備え、
前記１つ以上のケージ構成要素および前記１つ以上のケージ構成要素搭載部材は、前記ケージ基部が入れ子にされるときの前記ケージ基部からの係合解除のために構成されている、動物格納ケージ基部。
【請求項２】
入れ子になることは、前記ケージ基部が別のケージ基部の中に挿入されることを含む、請求項１に記載の動物格納ケージ基部。
【請求項３】
入れ子になることは、別のケージ基部が前記ケージ基部の中に挿入されることを含む、請求項１に記載の動物格納ケージ基部。
【請求項４】
前記ケージ構成要素のうちの１つ以上は、前記ケージ基部の壁との係合のために構成されたケージ構成要素搭載部材を備えている、請求項１−３のいずれか１項に記載の動物格納ケージ基部。
【請求項５】
ケージ構成要素搭載部材は、前記ケージ基部の壁の前記内部表面に接触している、請求項１−４のいずれか１項に記載の動物格納ケージ基部。
【請求項６】
ケージ構成要素搭載部材は、前記ケージ基部の壁の前記外部表面に接触している、請求項１−４のいずれか１項に記載の動物格納ケージ基部。
【請求項７】
ケージ構成要素搭載部材は、前記ケージ基部の壁の前記内部表面および前記外部表面に接触している、請求項１−４のいずれか１項に記載の動物格納ケージ基部。
【請求項８】
前記ケージ構成要素搭載部材は、グロメットである、請求項７に記載の動物格納ケージ基部。
【請求項９】
前記ケージ構成要素搭載部材は、給水管との使用のために構成されている、請求項８に記載の動物格納ケージ基部。
【請求項１０】
前記ケージ構成要素搭載部材は、センサ部材との使用のために構成されている、請求項８に記載の動物格納ケージ基部。
【請求項１１】
ケージ構成要素搭載部材は、前記ケージ基部が入れ子にされるとき、部品に分離され、剪断され、または破砕されるように構成されている、請求項１−１０のいずれか１項に記載の動物格納ケージ基部。
【請求項１２】
係合されたケージ構成要素またはその一部、または係合されたケージ構成要素搭載部材またはその一部は、前記ケージ基部から係合解除されたとき、前記ケージ基部の内部に位置付けられるように構成されている、請求項１−１１のいずれか１項に記載の動物格納ケージ基部。
【請求項１３】
係合されたケージ構成要素またはその一部、または係合されたケージ構成要素搭載部材またはその一部は、前記ケージ基部から係合解除されたとき、前記ケージ基部の外部に位置付けられるように構成されている、請求項１−１１のいずれか１項に記載の動物格納ケージ基部。
【請求項１４】
係合されたケージ構成要素または係合されたケージ構成要素搭載部材の一部は、前記ケージ基部から係合解除されたとき、前記ケージ基部の内部に位置付けられるように構成され、係合されたケージ構成要素または係合されたケージ構成要素搭載部材の一部は、前記ケージ基部から係合解除されたとき、前記ケージ基部の外部に位置付けられるように構成されている、請求項１−１１のいずれか１項に記載の動物格納ケージ基部。
【請求項１５】
係合されたケージ構成要素またはその一部、または係合されたケージ構成要素搭載部材またはその一部は、前記ケージ基部から係合解除されたとき、前記ケージ基部の前記底部に対して平坦な外形を伴って前記ケージ基部の内部に位置付けられるように構成されている、請求項１２または１４に記載の動物ケージ格納基部。
【請求項１６】
係合されたケージ構成要素またはその一部、または係合されたケージ構成要素搭載部材またはその一部は、前記ケージ基部の入れ子時、平坦化されるように構成されている、請求項１２または１４に記載の動物ケージ格納基部。
【請求項１７】
ケージ構成要素は、食物トレイ、水ボトルホルダ、水パウチ、水ボトル、カードケージホルダ、シェルタ構造、回し車、ドームおよび回し車、およびそれらの組み合わせのうちの１つ以上から選定される、請求項１−１６のいずれか１項に記載の動物格納ケージ基部。
【請求項１８】
ケージ基部および１つ以上のケージ構成要素は、単回使用である、請求項１−１７のいずれか１項に記載の動物格納ケージ基部。
【請求項１９】
ケージ基部、および１つ以上のケージ構成要素および／または１つ以上のケージ構成要素搭載部材は、同一の再生利用可能材料から作製されている、請求項１−１８のいずれか１項に記載の動物格納ケージ基部。
【請求項２０】
ケージ基部、またはケージ基部およびケージ構成要素は、ポリマーから作製されている、請求項１−１９のいずれか１項に記載の動物格納ケージ基部。
【請求項２１】
前記ポリマーは、再生利用可能である、請求項２０に記載の動物格納ケージ基部。
【請求項２２】
前記ポリマーは、ポリエチレンテレフタレートである、請求項２１に記載の動物格納ケージ基部。
【請求項２３】
前記基部の前記壁は、約０．０１〜約０．０８インチの実質的に一様な厚さである、請求項１−２２のいずれか１項に記載の動物格納ケージ基部。
【請求項２４】
前記基部の前記壁は、約０．０１〜約０．０３インチの実質的に一様な厚さである、請求項２３に記載の動物格納ケージ基部。
【請求項２５】
前記壁は、前記底部に向かって内向きにテーパ化状である、請求項１−２４のいずれか１項に記載の動物格納ケージ基部。
【請求項２６】
前記動物格納ケージ基部は、げっ歯類格納ケージ基部である、請求項１−２５のいずれか１項に記載の動物格納ケージ基部。
【請求項２７】
動物格納ケージ基部の組であって、前記動物格納ケージ基部の組は、
底部と、１つ以上の壁とを備えている第１のケージ基部であって、前記壁は、内部表面と、外部表面とを備えている、第１のケージ基部と、
底部と、１つ以上の壁とを備えている第２のケージ基部であって、前記第１のケージ基部は、前記第２のケージ基部と入れ子になるために構成され、前記第２のケージ基部は、前記第１のケージ基部と入れ子になるために構成されている、第２のケージ基部と、
前記第１のケージ基部の一部と係合された１つ以上のケージ構成要素および／または１つ以上のケージ構成要素搭載部材と
を備え、
前記１つ以上のケージ構成要素および前記１つ以上のケージ構成要素搭載部材は、前記第１のケージ基部と前記第２のケージ基部とが入れ子にされるときの前記第１のケージ基部からの係合解除のために構成されている、動物格納ケージ基部の組。
【請求項２８】
入れ子になることは、第１のケージ基部が第２のケージ基部の中に挿入されることを含む、請求項２７に記載の動物格納ケージ基部の組。
【請求項２９】
係合解除は、第２のケージ基部の壁の上縁がケージ構成要素および／またはケージ構成要素搭載部材に接触することを含む、請求項２８に記載の動物格納ケージ基部の組。
【請求項３０】
入れ子になることは、第２のケージ基部が第１のケージ基部の中に挿入されることを含む、請求項２７に記載の動物格納ケージ基部の組。
【請求項３１】
係合解除は、前記第２のケージ基部の底部またはその一部が前記第１の基部のケージ構成要素および／またはケージ構成要素搭載部材に接触することを含む、請求項３０に記載の動物格納ケージ基部の組。
【請求項３２】
前記ケージ構成要素のうちの１つ以上は、前記第１のケージ基部の壁との係合のために構成されたケージ構成要素搭載部材を備えている、請求項２７−３１のいずれか１項に記載の動物格納ケージ基部の組。
【請求項３３】
ケージ構成要素搭載部材は、前記第１のケージ基部の壁の前記内部表面に接触している、請求項２７−３２のいずれか１項に記載の動物格納ケージ基部の組。
【請求項３４】
ケージ構成要素搭載部材は、前記第１のケージ基部の壁の前記外部表面に接触している、請求項２７−３２のいずれか１項に記載の動物格納ケージ基部の組。
【請求項３５】
ケージ構成要素搭載部材は、前記第１のケージ基部の壁の前記内部表面および前記外部表面に接触している、請求項２７−３２のいずれか１項に記載の動物格納ケージ基部の組。
【請求項３６】
前記ケージ構成要素搭載部材は、グロメットである、請求項３５に記載の動物格納ケージ基部の組。
【請求項３７】
前記ケージ構成要素搭載部材は、給水管との使用のために構成されている、請求項３６に記載の動物格納ケージ基部の組。
【請求項３８】
前記ケージ構成要素搭載部材は、センサ部材との使用のために構成されている、請求項３６に記載の動物格納ケージ基部の組。
【請求項３９】
ケージ構成要素搭載部材は、前記第１のケージ基部と前記第２のケージ基部とが入れ子にされるとき、部品に分離され、剪断され、または破砕されるように構成されている、請求項２７−３８のいずれか１項に記載の動物格納ケージ基部の組。
【請求項４０】
係合されたケージ構成要素またはその一部、または係合されたケージ構成要素搭載部材またはその一部は、前記第１のケージ基部から係合解除されたとき、前記第１のケージ基部の内部に位置付けられるように構成されている、請求項２７−３９のいずれか１項に記載の動物格納ケージ基部の組。
【請求項４１】
係合されたケージ構成要素またはその一部、または係合されたケージ構成要素搭載部材またはその一部は、前記第１のケージ基部から係合解除されたとき、前記第１のケージ基部の外部に位置付けられるように構成されている、請求項２７−３９のいずれか１項に記載の動物格納ケージ基部の組。
【請求項４２】
係合されたケージ構成要素または係合されたケージ構成要素搭載部材の一部は、前記第１のケージ基部から係合解除されたとき、前記第１のケージ基部の内部に位置付けられるように構成され、係合されたケージ構成要素または係合されたケージ構成要素搭載部材の一部は、前記第１のケージ基部から係合解除されたとき、前記第１のケージ基部の外部に位置付けられるように構成されている、請求項２７−３９のいずれか１項に記載の動物格納ケージ基部の組。
【請求項４３】
係合されたケージ構成要素またはその一部、または係合されたケージ構成要素搭載部材またはその一部は、前記第１のケージ基部から係合解除されたとき、前記ケージ基部の前記底部に対して平坦な外形を伴って前記ケージ基部の内部に位置付けられるように構成されている、請求項４０または４２に記載の動物ケージ格納基部の組。
【請求項４４】
係合されたケージ構成要素またはその一部、または係合されたケージ構成要素搭載部材またはその一部は、前記第１のケージ基部と前記第２のケージ基部との入れ子時、平坦化されるように構成されている、請求項４０または４２に記載の動物ケージ格納基部の組。
【請求項４５】
ケージ構成要素は、食物トレイ、水ボトルホルダ、水パウチ、水ボトル、カードケージホルダ、シェルタ構造、回し車、ドームおよび回し車、およびそれらの組み合わせのうちの１つ以上から選定される、請求項２７−４４のいずれか１項に記載の動物格納ケージ基部の組。
【請求項４６】
前記ケージ基部および１つ以上のケージ構成要素は、単回使用である、請求項２７−４５のいずれか１項に記載の動物格納ケージ基部の組。
【請求項４７】
第１および第２のケージ基部、および１つ以上のケージ構成要素および／または１つ以上のケージ構成要素搭載部材は、同一の再生利用可能材料から作製されている、請求項２７−４６のいずれか１項に記載の動物格納ケージ基部の組。
【請求項４８】
前記ケージ基部、または前記ケージ基部およびケージ構成要素は、ポリマーから作製されている、請求項２７−４７のいずれか１項に記載の動物格納ケージ基部の組。
【請求項４９】
前記ポリマーは、再生利用可能である、請求項４８に記載の動物格納ケージ基部の組。
【請求項５０】
前記ポリマーは、ポリエチレンテレフタレートである、請求項４９に記載の動物格納ケージ基部の組。
【請求項５１】
前記基部の前記壁は、約０．０１〜約０．０８インチの実質的に一様な厚さである、請求項２７−５０のいずれか１項に記載の動物格納ケージ基部の組。
【請求項５２】
前記基部の前記壁は、約０．０１〜約０．０３インチの実質的に一様な厚さである、請求項５１に記載の動物格納ケージ基部の組。
【請求項５３】
前記基部の前記壁は、前記底部に向かって内向きにテーパ化状である、請求項２７−５２のいずれか１項に記載の動物格納ケージ基部の組。
【請求項５４】
前記動物格納ケージ基部は、げっ歯類格納ケージ基部である、請求項２７−５３のいずれか１項に記載の動物格納ケージ基部の組。
【請求項５５】
入れ子は、７５％以上である、請求項２７−５４のいずれか１項に記載の動物格納ケージ基部の組。
【請求項５６】
入れ子は、８０％以上である、請求項２７−５４のいずれか１項に記載の動物格納ケージ基部の組。
【請求項５７】
入れ子は、８５％以上である、請求項２７−５４のいずれか１項に記載の動物格納ケージ基部の組。
【請求項５８】
入れ子は、９０％以上である、請求項２７−５４のいずれか１項に記載の動物格納ケージ基部の組。
【請求項５９】
入れ子は、９５％以上である、請求項２７−５４のいずれか１項に記載の動物格納ケージ基部の組。
【請求項６０】
動物格納ケージ基部から１つ以上のケージ構成要素および／またはケージ構成要素搭載部材を係合解除する方法であって、前記方法は、
底部と、１つ以上の壁と、１つ以上のケージ構成要素および／または１つ以上のケージ構成要素搭載部材とを備えている第１のケージ基部を第２のケージ基部と入れ子にすることを含み、前記第２のケージ基部は、底部と、１つ以上の壁とを備え、それによって、前記１つ以上のケージ構成要素および／または１つ以上のケージ構成要素搭載部材は、前記第１のケージ基部から係合解除される、方法。
【請求項６１】
ケージ構成要素は、食物トレイ、水ボトルホルダ、水パウチ、水ボトル、カードケージホルダ、シェルタ構造、回し車、ドームおよび回し車、およびそれらの組み合わせのうちの１つ以上から選定される、請求項６０に記載の方法。
【請求項６２】
第２のケージ基部と入れ子になることは、第１のケージ基部が第２のケージ基部の中に挿入されることを含む、請求項６０または６１に記載の方法。
【請求項６３】
第１のケージ基部からの係合解除は、第２のケージ基部の壁の上縁が第１のケージ基部のケージ構成要素またはケージ構成要素搭載部材に接触することを含む、請求項６２に記載の方法。
【請求項６４】
第２のケージ基部と入れ子になることは、第２のケージ基部が第１のケージ基部の中に挿入されることを含む、請求項６０または６１に記載の方法。
【請求項６５】
係合解除は、第２のケージ基部の底部またはその一部が第１のケージ基部のケージ構成要素またはケージ構成要素搭載部材に接触することを含む、請求項６４に記載の方法。
【請求項６６】
前記ケージ構成要素のうちの１つ以上は、第１のケージ基部の壁との係合のためのケージ構成要素搭載部材を備えている、請求項６０−６５のいずれか１項に記載の方法。
【請求項６７】
前記ケージ構成要素搭載部材は、前記第１のケージ基部の壁の内部表面に接触している、請求項６６に記載の方法。
【請求項６８】
前記ケージ構成要素搭載部材は、前記第１のケージ基部の壁の外部表面に接触している、請求項６６に記載の方法。
【請求項６９】
前記ケージ構成要素搭載部材は、第１のケージ基部の壁の内部表面および外部表面に接触している、請求項６６に記載の方法。
【請求項７０】
前記ケージ構成要素搭載部材は、グロメットである、請求項６９に記載の方法。
【請求項７１】
前記ケージ構成要素搭載部材は、給水管との使用のために構成されている、請求項７０に記載の方法。
【請求項７２】
前記ケージ構成要素搭載部材は、センサ部材との使用のために構成されている、請求項７０に記載の方法。
【請求項７３】
前記ケージ構成要素搭載部材は、第１のケージ基部と第２のケージ基部とが入れ子にされるとき、部品に分離され、剪断され、または破砕されるように構成されている、請求項６６−７２のいずれか１項に記載の方法。
【請求項７４】
係合解除されたケージ構成要素またはその一部、または係合解除されたケージ構成要素搭載部材またはその一部は、第１のケージ基部の内部にある、請求項６０−６５のいずれか１項に記載の方法。
【請求項７５】
係合解除されたケージ構成要素またはその一部、または係合解除されたケージ構成要素搭載部材またはその一部は、第１のケージ基部の外部にある、請求項６０−６５のいずれか１項に記載の方法。
【請求項７６】
係合解除されたケージ構成要素または係合解除されたケージ構成要素搭載部材の一部は、第１のケージ基部の内部にあり、係合解除されたケージ構成要素または係合解除されたケージ構成要素搭載部材の一部は、第１のケージ基部の外部にある、請求項６０−６５のいずれか１項に記載の方法。
【請求項７７】
第１のケージ基部の内部の係合解除されたケージ構成要素またはその一部、またはケージ構成要素搭載部材またはその一部は、第１のケージ基部の底部に対して平坦であるように向けられる、請求項７４または７６に記載の方法。
【請求項７８】
係合されたケージ構成要素またはその一部、または係合されたケージ構成要素搭載部材またはその一部は、前記第１のケージ基部と前記第２のケージ基部との入れ子時、平坦化される、請求項７４または７６に記載の方法。
【請求項７９】
第１のケージ基部の外部の係合解除されたケージ構成要素またはその一部、またはケージ構成要素搭載部材またはその一部は、再利用のために収集される、請求項７５または７６に記載の方法。
【請求項８０】
前記第１および第２の入れ子にされたケージ基部、および１つ以上のケージ構成要素または１つ以上のケージ構成要素搭載部材は、廃棄される、請求項６０−７８のいずれか１項に記載の方法。
【請求項８１】
第１および第２の入れ子にされたケージ基部、および１つ以上のケージ構成要素は、単回使用である、請求項６０−７８のいずれか１項に記載の方法。
【請求項８２】
前記ケージ基部、前記ケージ構成要素、および／または前記ケージ構成要素搭載部材は、ポリマーから作製されている、請求項６０−８１のいずれか１項に記載の方法。
【請求項８３】
前記ポリマーは、再生利用可能である、請求項８２に記載の方法。
【請求項８４】
前記ケージ基部、前記ケージ構成要素、および／または前記ケージ構成要素搭載部材は、同一の再生利用可能ポリマーから作製されている、請求項８３に記載の方法。
【請求項８５】
前記ポリマーは、ポリエチレンテレフタレートである、請求項８３または８４に記載の方法。
【請求項８６】
前記第１および第２の入れ子にされたケージ基部、１つ以上のケージ構成要素、および／または１つ以上のケージ構成要素搭載部材は、再生利用されるべき状態である、請求項６０−７９および８１−８５いずれか１項に記載の方法。
【請求項８７】
前記基部の前記壁は、約０．０１〜約０．０８インチの実質的に一様な厚さである、請求項６０−８６のいずれか１項に記載の方法。
【請求項８８】
前記基部の前記壁は、約０．０１〜約０．０３インチの実質的に一様な厚さである、請求項８７に記載の方法。
【請求項８９】
入れ子は、７５％以上である、請求項６０−８８のいずれか１項に記載の方法。
【請求項９０】
入れ子は、８０％以上である、請求項６０−８８のいずれか１項に記載の方法。
【請求項９１】
入れ子は、８５％以上である、請求項６０−８８のいずれか１項に記載の方法。
【請求項９２】
入れ子は、９０％以上である、請求項６０−８８のいずれか１項に記載の方法。
【請求項９３】
入れ子は、９５％以上である、請求項６０−８８のいずれか１項に記載の方法。
【請求項９４】
前記壁は、前記底部に向かって内向きにテーパ化状である、請求項６０−９３のいずれか１項に記載の方法。
【請求項９５】
前記動物格納ケージ基部は、げっ歯類格納ケージ基部である、請求項６０−９４のいずれか１項に記載の方法。
【請求項９６】
動物格納ケージカバーであって、前記動物格納ケージカバーは、
内部表面と外部表面とを備えている平面領域と、前記カバーの周辺の周囲に延びているフランジ領域とであって、前記ケージカバーは、別のケージカバーと入れ子になるために構成されている、平面領域およびフランジ領域と、
前記ケージカバーの平面領域の一部と係合された１つ以上のケージ構成要素および／または１つ以上のケージ構成要素搭載部材と
を備え、
前記ケージ構成要素および前記ケージ構成要素搭載部材は、ケージカバーが入れ子にされるときの前記ケージカバーからの係合解除のために構成されている、動物格納ケージカバー。
【請求項９７】
入れ子になることは、前記ケージカバーが別のケージカバーの中に挿入されることを含む、請求項９６に記載の動物格納ケージカバー。
【請求項９８】
入れ子になることは、別のケージカバーが前記ケージカバーの中に挿入されることを含む、請求項９６に記載の動物格納ケージカバー。
【請求項９９】
前記ケージ構成要素のうちの１つ以上は、前記ケージカバーとの係合のために構成されたケージ構成要素搭載部材を備えている、請求項９６−９８のいずれか１項に記載の動物格納ケージカバー。
【請求項１００】
前記ケージ構成要素搭載部材は、前記ケージカバーの前記平面領域の前記内部表面に接触している、請求項９９に記載の動物格納ケージカバー。
【請求項１０１】
前記ケージ構成要素搭載部材は、前記ケージカバーの前記平面領域の前記外部表面に接触している、請求項９９に記載の動物格納ケージカバー。
【請求項１０２】
前記ケージ構成要素搭載部材は、前記ケージカバーの前記平面領域の前記内部表面および前記外部表面に接触している、請求項９９に記載の動物格納ケージカバー。
【請求項１０３】
前記ケージ構成要素搭載部材は、グロメットである、請求項１０２に記載の動物格納ケージカバー。
【請求項１０４】
前記ケージ構成要素搭載部材は、給水管との使用のために構成されている、請求項１０３に記載の動物格納ケージカバー。
【請求項１０５】
前記ケージ構成要素搭載部材は、センサ部材との使用のために構成されている、請求項１０３に記載の動物格納ケージカバー。
【請求項１０６】
前記ケージ構成要素搭載部材は、前記ケージ基部が入れ子にされるとき、部品に分離され、剪断され、または破砕されるように構成されている、請求項９９−１０５のいずれか１項に記載の動物格納ケージカバー。
【請求項１０７】
係合されたケージ構成要素またはその一部、または係合されたケージ構成要素搭載部材またはその一部は、前記ケージカバーから係合解除されたとき、前記ケージカバーと接触したままであるように構成されている、請求項９６−９８のいずれか１項に記載の動物格納ケージカバー。
【請求項１０８】
係合されたケージ構成要素またはその一部、または係合されたケージ構成要素搭載部材またはその一部は、前記ケージカバーから係合解除されたとき、前記ケージカバーから分離されているように構成されている、請求項９６−９８のいずれか１項に記載の動物格納ケージカバー。
【請求項１０９】
係合されたケージ構成要素または係合されたケージ構成要素搭載部材の一部は、前記ケージカバーから係合解除されたとき、前記ケージカバーと接触したままであるように構成され、係合されたケージ構成要素または係合されたケージ構成要素搭載部材の一部は、前記ケージカバーから係合解除されたとき、前記ケージカバーから分離されているように構成されている、請求項９６−９８のいずれか１項に記載の動物格納ケージカバー。
【請求項１１０】
係合されたケージ構成要素またはその一部、または係合されたケージ構成要素搭載部材またはその一部は、前記ケージカバーから係合解除されたとき、前記ケージカバーの前記平面領域に対して平坦な外形を伴って前記ケージカバーと接触したままであるように構成されている、請求項１０７または１０９に記載の動物ケージ格納カバー。
【請求項１１１】
係合されたケージ構成要素またはその一部、または係合されたケージ構成要素搭載部材またはその一部は、前記ケージカバーの入れ子時、平坦化されるように構成されている、請求項１０７−１０９のいずれか１項に記載の動物ケージ格納基部。
【請求項１１２】
ケージ構成要素は、食物トレイ、水ボトルホルダ、水パウチ、水ボトル、カードケージホルダ、シェルタ構造、回し車、ドームおよび回し車、およびそれらの組み合わせのうちの１つ以上から選定される、請求項９６−１１１のいずれか１項に記載の動物格納ケージカバー。
【請求項１１３】
ケージカバーおよび１つ以上のケージ構成要素は、単回使用である、請求項９６−１１２のいずれか１項に記載の動物格納ケージカバー。
【請求項１１４】
ケージカバー、および１つ以上のケージ構成要素および／または１つ以上のケージ構成要素搭載部材は、同一の再生利用可能材料から作製されている、請求項９６−１１３のいずれか１項に記載の動物格納ケージカバー。
【請求項１１５】
ケージカバー、またはケージカバーおよびケージ構成要素は、ポリマーから作製されている、請求項９６−１１４のいずれか１項に記載の動物格納ケージカバー。
【請求項１１６】
前記ポリマーは、再生利用可能である、請求項１１５に記載の動物格納ケージカバー。
【請求項１１７】
前記ポリマーは、ポリエチレンテレフタレートである、請求項１１６に記載の動物格納ケージカバー。
【請求項１１８】
前記カバーは、約０．０１〜約０．０８インチの実質的に一様な厚さである、請求項９６−１１７のいずれか１項に記載の動物格納ケージカバー。
【請求項１１９】
前記カバーは、約０．０１〜約０．０３インチの実質的に一様な厚さである、請求項１１８に記載の動物格納ケージカバー。
【請求項１２０】
前記動物格納ケージカバーは、げっ歯類動物格納ケージカバーである、請求項９６−１１９のいずれか１項に記載の動物格納ケージカバー。
【請求項１２１】
動物格納ケージカバーの組であって、前記動物格納ケージカバーの組は、
内部表面と外部表面とを備えている平面領域と、前記カバーの周辺の周囲に延びているフランジ領域とを備えている第１のケージカバーと、
内部表面と外部表面とを備えている平面領域と、前記カバーの周辺の周囲に延びているフランジ領域とを備えている第２のケージカバーであって、前記第１のケージカバーは、前記第２のケージカバーと入れ子になるために構成され、前記第２のケージカバーは、前記第１のケージカバーと入れ子になるために構成されている、第２のケージカバーと、
前記第１のケージカバーの一部と係合された１つ以上のケージ構成要素および／または１つ以上のケージ構成要素搭載部材と
を備え、
前記ケージ構成要素および前記ケージ構成要素搭載部材は、前記第１のケージカバーと前記第２のケージカバーとが入れ子にされるときの前記第１のケージカバーからの係合解除のために構成されている、動物格納ケージカバーの組。
【請求項１２２】
入れ子になることは、第１のケージカバーが第２のケージカバーの中に挿入されることを含む、請求項１２１に記載の動物格納ケージカバーの組。
【請求項１２３】
係合解除は、第２のケージカバーの前記フランジ領域またはその一部、および／または前記平面領域の外部表面またはその一部が前記第１のケージカバーのケージ構成要素および／またはケージ構成要素搭載部材に接触することを含む、請求項１２２に記載の動物格納ケージカバーの組。
【請求項１２４】
入れ子になることは、第２のケージカバーが第１のケージカバーの中に挿入されることを含む、請求項１２１に記載の動物格納ケージカバーの組。
【請求項１２５】
係合解除は、前記第２のケージカバーの前記フランジ領域またはその一部、および／または前記平面領域の内部表面またはその一部が前記第１のケージカバーのケージ構成要素および／またはケージ構成要素搭載部材に接触することを含む、請求項１２４に記載の動物格納ケージカバーの組。
【請求項１２６】
前記ケージ構成要素のうちの１つ以上は、前記第１のケージカバーとの係合のために構成されたケージ構成要素搭載部材を備えている、請求項１２１−１２６のいずれか１項に記載の動物格納ケージカバーの組。
【請求項１２７】
前記ケージ構成要素搭載部材は、前記第１のケージカバーの前記平面領域の前記内部表面に接触している、請求項１２６に記載の動物格納ケージカバーの組。
【請求項１２８】
前記ケージ構成要素搭載部材は、前記第１のケージカバーの前記平面領域の前記外部表面に接触している、請求項１２６に記載の動物格納ケージカバーの組。
【請求項１２９】
前記ケージ構成要素搭載部材は、前記第１のケージカバーの前記内部表面および前記外部表面に接触している、請求項１２６に記載の動物格納ケージカバーの組。
【請求項１３０】
前記ケージ構成要素搭載部材は、グロメットである、請求項１２９に記載の動物格納ケージカバーの組。
【請求項１３１】
前記ケージ構成要素搭載部材は、給水管との使用のために構成されている、請求項１３０に記載の動物格納ケージカバーの組。
【請求項１３２】
前記ケージ構成要素搭載部材は、センサ部材との使用のために構成されている、請求項１３０に記載の動物格納ケージカバーの組。
【請求項１３３】
ケージ構成要素搭載部材は、前記第１のケージカバーおよび前記第２のケージカバーが入れ子にされるとき、部品に分離され、剪断され、または破砕されるように構成されている、請求項１２６−１３２のいずれか１項に記載の動物格納ケージカバーの組。
【請求項１３４】
係合されたケージ構成要素またはその一部、または係合されたケージ構成要素搭載部材またはその一部は、前記第１のケージカバーから係合解除されたとき、前記第１のケージカバーと第２のケージカバーとの間に位置付けられるように構成されている、請求項１２１−１２５のいずれか１項に記載の動物格納ケージカバーの組。
【請求項１３５】
係合されたケージ構成要素またはその一部、または係合されたケージ構成要素搭載部材またはその一部は、前記第１のケージカバーから係合解除されたとき、前記第１のケージカバーの外部に位置付けられているか、またはそれから分離しているように構成されている、請求項１２１−１２５のいずれか１項に記載の動物格納ケージカバーの組。
【請求項１３６】
係合されたケージ構成要素または係合されたケージ構成要素搭載部材の一部は、前記第１のケージカバーから係合解除されたとき、前記第１のケージカバーと第２のケージカバーとの間に位置付けられるように構成され、係合されたケージ構成要素または係合されたケージ構成要素搭載部材の一部は、前記第１のケージカバーから係合解除されたとき、前記第１のケージカバーの外部に位置付けられているか、またはそれから分離しているように構成されている、請求項１２１−１２５のいずれか１項に記載の動物格納ケージカバーの組。
【請求項１３７】
係合されたケージ構成要素またはその一部、または係合されたケージ構成要素搭載部材またはその一部は、前記第１のケージカバーから係合解除されたとき、前記第１のケージカバーの前記平面領域に対して平坦な外形を伴って前記第１のケージカバーと第２のケージカバーとの間に位置付けられるように構成されている、請求項１３４または１３６に記載の動物ケージ格納カバーの組。
【請求項１３８】
係合されたケージ構成要素またはその一部、または係合されたケージ構成要素搭載部材またはその一部は、前記第１のケージカバーと第２のケージカバーとの入れ子時、平坦化されるように構成されている、請求項１３４または１３６に記載の動物ケージ格納基部。
【請求項１３９】
ケージ構成要素は、食物トレイ、水ボトルホルダ、水パウチ、水ボトル、カードケージホルダ、シェルタ構造、回し車、ドームおよび回し車、およびそれらの組み合わせのうちの１つ以上から選定される、請求項１２１−１３８のいずれか１項に記載の動物格納ケージカバーの組。
【請求項１４０】
前記ケージカバーおよび１つ以上のケージ構成要素は、単回使用である、請求項１２１−１３９のいずれか１項に記載の動物格納ケージカバーの組。
【請求項１４１】
前記ケージカバー、および１つ以上のケージ構成要素および／または１つ以上のケージ構成要素搭載部材は、同一の再生利用可能材料から作製されている、請求項１２１−１４０のいずれか１項に記載の動物格納ケージカバーの組。
【請求項１４２】
前記ケージカバー、または前記ケージカバーおよびケージ構成要素は、ポリマーから作製されている、請求項１２１−１４１のいずれか１項に記載の動物格納ケージカバーの組。
【請求項１４３】
前記ポリマーは、再生利用可能である、請求項１４２に記載の動物格納ケージカバーの組。
【請求項１４４】
前記ポリマーは、ポリエチレンテレフタレートである、請求項１４３に記載の動物格納ケージカバーの組。
【請求項１４５】
前記ケージカバーは、約０．０１〜約０．０８インチの実質的に一様な厚さである、請求項１２１−１４４のいずれか１項に記載の動物格納ケージカバーの組。
【請求項１４６】
前記ケージカバーは、約０．０１〜約０．０３インチの実質的に一様な厚さである、請求項１４５に記載の動物格納ケージカバーの組。
【請求項１４７】
前記動物は、げっ歯類である、請求項１２１−１４６のいずれか１項に記載の動物格納ケージカバーの組。
【請求項１４８】
入れ子は、７０％以上である、請求項１２１−１４７のいずれか１項に記載の動物格納ケージカバーの組。
【請求項１４９】
入れ子は、８０％以上である、請求項１２１−１４７のいずれか１項に記載の動物格納ケージカバーの組。
【請求項１５０】
入れ子は、８５％以上である、請求項１２１−１４７のいずれか１項に記載の動物格納ケージカバーの組。
【請求項１５１】
入れ子は、９０％以上である、請求項１２１−１４７のいずれか１項に記載の動物格納ケージカバーの組。
【請求項１５２】
入れ子は、９５％以上である、請求項１２１−１４７のいずれか１項に記載の動物格納ケージカバーの組。
【請求項１５３】
前記動物格納ケージカバーは、げっ歯類格納ケージカバーである、請求項１２１−１５２のいずれか１項に記載の動物格納ケージカバーの組。
【請求項１５４】
動物格納ケージカバーから１つ以上のケージ構成要素および／またはケージ構成要素搭載部材を係合解除する方法であって、前記方法は、
第１のケージカバーであって、前記第１のケージカバーは、内部表面と外部表面とを備えている平面領域と、前記カバーの周辺の周囲に延びているフランジ領域と、前記第１のケージカバーの一部と係合された１つ以上のケージ構成要素および／または１つ以上のケージ構成要素搭載部材とを備えている、第１のケージカバーを第２のケージカバーと入れ子にすることを含み、
前記第２のケージカバーは、内部表面と外部表面とを備えている平面領域と、前記カバーの周辺の周囲に延びているフランジ領域とを備え、それによって、前記１つ以上のケージ構成要素および／または１つ以上のケージ構成要素搭載部材は、前記第１のケージカバーから係合解除される、方法。
【請求項１５５】
ケージ構成要素は、食物トレイ、水ボトルホルダ、水パウチ、水ボトル、カードケージホルダ、シェルタ構造、回し車、ドームおよび回し車、およびそれらの組み合わせのうちの１つ以上から選定される、請求項１５４に記載の方法。
【請求項１５６】
第２のケージカバーと入れ子にすることは、第１のケージカバーが第２のケージカバーの中に挿入されることを含む、請求項１５４または１５５に記載の方法。
【請求項１５７】
第１のケージカバーからの係合解除は、第２のケージカバーの前記フランジ領域またはその一部、および／または前記平面領域の外部表面またはその一部が前記第１のケージカバーのケージ構成要素および／またはケージ構成要素搭載部材に接触することを含む、請求項１５６に記載の方法。
【請求項１５８】
第２のケージカバーと入れ子にすることは、第２のケージカバーが第１のケージカバーの中に挿入されることを含む、請求項１５４または１５５に記載の方法。
【請求項１５９】
係合解除は、前記第２のケージカバーの前記フランジ領域またはその一部、および／または前記平面領域の内部表面またはその一部が前記第１のケージカバーのケージ構成要素および／またはケージ構成要素搭載部材に接触することを含む、請求項１５８に記載の方法。
【請求項１６０】
前記ケージ構成要素のうちの１つ以上は、第１のケージカバーの前記平面領域との係合のためのケージ構成要素搭載部材を備えている、請求項１５４−１５９のいずれか１項に記載の方法。
【請求項１６１】
ケージ構成要素搭載部材は、第１のケージカバーの前記平面領域の前記内部表面に接触している、請求項１６０に記載の方法。
【請求項１６２】
ケージ構成要素搭載部材は、第１のケージカバーの前記平面領域の前記外部表面に接触している、請求項１６０に記載の方法。
【請求項１６３】
ケージ構成要素搭載部材は、第１のケージカバーの前記平面領域の内部表面および外部表面に接触している、請求項１６０に記載の方法。
【請求項１６４】
前記ケージ構成要素搭載部材は、グロメットである、請求項１６３に記載の方法。
【請求項１６５】
前記ケージ構成要素搭載部材は、給水管との使用のために構成されている、請求項１６４に記載の方法。
【請求項１６６】
前記ケージ構成要素搭載部材は、センサ部材との使用のために構成されている、請求項１６４に記載の方法。
【請求項１６７】
ケージ構成要素搭載部材は、第１のケージカバーおよび第２のケージカバーが入れ子にされるとき、部品に分離され、剪断され、または破砕されるように構成されている、請求項１６０−１６６のいずれか１項に記載の方法。
【請求項１６８】
係合されたケージ構成要素またはその一部、または係合されたケージ構成要素搭載部材またはその一部は、第１のケージカバーから係合解除されたとき、第１のケージカバーと第２のケージカバーとの間に位置付けられるように構成されている、請求項１５４−１５９のいずれか１項に記載の方法。
【請求項１６９】
係合されたケージ構成要素またはその一部、または係合されたケージ構成要素搭載部材またはその一部は、前記第１のケージカバーから係合解除されたとき、第１のケージカバーから分離して位置付けられるように構成されている、請求項１５４−１５９のいずれか１項に記載の方法。
【請求項１７０】
係合されたケージ構成要素または係合されたケージ構成要素搭載部材の一部は、前記第１のケージカバーから係合解除されたとき、第１のケージカバーと第２のケージカバーとの間に位置付けられるように構成され、係合されたケージ構成要素または係合されたケージ構成要素搭載部材の一部は、前記第１のケージカバーから係合解除されたとき、前記第１のケージカバーの外部に位置付けられているか、またはそれから分離しているように構成されている、請求項１５４−１５９のいずれか１項に記載の方法。
【請求項１７１】
第１のケージカバーと第２のケージカバーとの間の係合解除されたケージ構成要素またはその一部、またはケージ構成要素搭載部材またはその一部は、前記第１のケージカバーの前記平面領域に対して平坦な外形を有するように向けられる、請求項１６８または１７０に記載の方法。
【請求項１７２】
係合されたケージ構成要素またはその一部、または係合されたケージ構成要素搭載部材またはその一部は、前記第１のケージカバーと第２のケージカバーとの入れ子時、平坦化される、請求項１６８または１７０に記載の方法。
【請求項１７３】
第１のケージカバーの外部にあるか、またはそれから分離している係合解除されたケージ構成要素またはその一部、または係合解除されたケージ構成要素搭載部材またはその一部は、再利用のために収集される、請求項１６９または１７０に記載の方法。
【請求項１７４】
前記第１および第２の入れ子にされたケージカバー、および１つ以上のケージ構成要素または１つ以上のケージ構成要素搭載部材は、廃棄される、請求項１５４−１７２のいずれか１項に記載の方法。
【請求項１７５】
第１および第２の入れ子にされたケージカバー、および１つ以上のケージ構成要素は、単回使用である、請求項１５４−１７２および１７４のいずれか１項に記載の方法。
【請求項１７６】
前記ケージカバー、ケージ構成要素、およびケージ構成要素搭載部材は、ポリマーから作製されている、請求項１５４−１７５のいずれか１項に記載の方法。
【請求項１７７】
前記ポリマーは、再生利用可能である、請求項１７６に記載の方法。
【請求項１７８】
前記ケージカバー、ケージ構成要素、およびケージ構成要素搭載部材は、同一の再生利用可能ポリマーから作製されている、請求項１７７に記載の方法。
【請求項１７９】
前記ポリマーは、ポリエチレンテレフタレートである、請求項１７７または１７８に記載の方法。
【請求項１８０】
前記第１および第２の入れ子にされたケージカバー、１つ以上のケージ構成要素、および／または１つ以上のケージ構成要素搭載部材は、再生利用されるべき状態である、請求項１５４−１７３および１７５−１７９のいずれか１項に記載の方法。
【請求項１８１】
前記カバーの壁は、約０．０１〜約０．０８インチの実質的に一様な厚さである、請求項１５４−１８０のいずれか１項に記載の方法。
【請求項１８２】
前記カバーの壁は、約０．０１〜約０．０３インチの実質的に一様な厚さである、請求項１８１に記載の方法。
【請求項１８３】
入れ子は、７５％以上である、請求項１５４−１８２のいずれか１項に記載の方法。
【請求項１８４】
入れ子は、８０％以上である、請求項１５４−１８２のいずれか１項に記載の方法。
【請求項１８５】
入れ子は、８５％以上である、請求項１５４−１８２のいずれか１項に記載の方法。
【請求項１８６】
入れ子は、９０％以上である、請求項１５４−１８２のいずれか１項に記載の方法。
【請求項１８７】
入れ子は、９５％以上である、請求項１５４−１８２のいずれか１項に記載の方法。
【請求項１８８】
前記壁は、前記底部に向かって内向きにテーパ化状である、請求項１５４−１８７のいずれか１項に記載の方法。
【請求項１８９】
前記動物格納ケージカバーは、げっ歯類格納ケージカバーである、請求項１５４−１８８のいずれか１項に記載の方法。
【請求項１９０】
取り外し可能な動物格納ケージ構成要素グロメットであって、前記取り外し可能な動物格納ケージ構成要素グロメットは、
ケージ構成要素の挿入のための開口を備えている内部部材と、
前記開口へのアクセスを可能にするためのスライドドアを備えている外部部材と
を備え、
前記内部部材と前記外部部材とは、係合のために、かつ係合解除のために構成されている、取り外し可能な動物格納ケージ構成要素グロメット。
【請求項１９１】
前記内部部材と外部部材とは、係合され、前記グロメットは、動物格納ケージ基部の壁に取り付けられている、請求項１９０に記載の動物格納ケージ構成要素グロメット。
【請求項１９２】
前記内部部材に対する前記外部部材の上向きの偏向は、前記内部部材からの前記外部部材の係合解除および前記ケージ基部壁からの前記グロメットの取り外しをもたらす、請求項１９１に記載の動物格納ケージ構成要素グロメット。
【請求項１９３】
前記内部部材は、前記壁の内部表面に接触し、前記外部部材は、前記壁の外部表面に接触している、請求項１９１または１９２に記載の動物格納ケージ構成要素グロメット。
【請求項１９４】
前記内部部材は、オス型スライド部材を備え、前記外部部材は、メス型スライド部材を備えている、請求項１９０−１９３のいずれか１項に記載の動物格納ケージ構成要素グロメット。
【請求項１９５】
係合は、前記オス型スライド部材に対する前記メス型スライド部材の下向きの移動を含む、請求項１９４に記載の動物格納ケージ構成要素グロメット。
【請求項１９６】
係合解除は、前記オス型スライド部材に対する前記メス型スライド部材の上向きの移動を含む、請求項１９４に記載の動物格納ケージ構成要素グロメット。
【請求項１９７】
前記ケージ構成要素は、給水管である、請求項１９０−１９６のいずれか１項に記載の動物格納ケージ構成要素グロメット。
【請求項１９８】
前記スライドドアは、傾斜表面を備え、前記スライドドアは、前記傾斜表面が前記給水管によって接触されるときに開放するように、かつ前記給水管と接触していないときに閉鎖するように構成されている、請求項１９７に記載の動物格納ケージ構成要素グロメット。
【請求項１９９】
前記内部部材および前記外部部材は、再生利用可能プラスチックから作製されている、請求項１９０−１９８のいずれか１項に記載の動物格納ケージ構成要素グロメット。
【請求項２００】
動物格納ケージから動物格納ケージ構成要素グロメットを取り外す方法であって、前記方法は、
動物格納ケージ構成要素グロメットを備えている第１のケージ基部を第２のケージ基部と入れ子にすることを含み、前記第２のケージ基部は、底部と１つ以上の壁とを備え、それによって、前記動物格納ケージ構成要素グロメットは、前記第１のケージ基部から取り外される、方法。
【請求項２０１】
第１のケージ基部を第２のケージ基部と入れ子にすることは、第１のケージ基部が第２のケージ基部の中に挿入されることを含む、請求項２００に記載の方法。
【請求項２０２】
第２のケージ基部の壁の上縁は、前記動物格納ケージ構成要素グロメットに接触している、請求項２０１に記載の方法。
【請求項２０３】
前記第２のケージ基部の前記壁の前記上縁は、フランジである、請求項２０２に記載の方法。
【請求項２０４】
前記動物格納ケージ構成要素グロメットは、外部部材と係合された内部部材を備え、前記第２のケージ基部の前記壁は、前記動物格納ケージ構成要素グロメットの前記外部部材に接触している、請求項２０２または２０３に記載の方法。
【請求項２０５】
前記外部部材は、延長部材を備え、前記延長部材は、前記第２のケージ基部の前記壁の前記上縁に接触している、請求項２０４に記載の方法。
【請求項２０６】
前記外部部材との前記第２のケージ基部の前記壁の接触は、前記内部部材に対する前記外部部材の上向きの変位をもたらす、請求項２０４または２０５に記載の方法。
【請求項２０７】
前記内部部材に対する前記外部部材の上向きの変位は、前記グロメットの前記外部部材が前記グロメットの前記内部部材から係合解除し、前記グロメットが前記ケージ基部壁から分離することをもたらす、請求項２０６に記載の方法。
【請求項２０８】
前記取り外された内部部材は、前記第１のケージ基部の内部にある、請求項２０７に記載の方法。
【請求項２０９】
前記取り外された外部部材は、前記第１のケージ基部の外部にある、請求項２０７に記載の方法。
【請求項２１０】
前記取り外された外部部材は、再利用のために収集される、請求項２０９に記載の方法。
【請求項２１１】
前記ケージ基部および前記グロメットは、同一の再生利用可能ポリマーから作製されている、請求項２００−２１０のいずれか１項に記載の方法。
【請求項２１２】
前記動物格納ケージ構成要素グロメットは、給水管との使用のために構成されている、請求項２００−２１１のいずれか１項に記載の方法。
【請求項２１３】
第１のケージ基部の内部の係合解除されたグロメットは、第１のケージ基部の底部に対して平坦であるように向けられる、請求項２０８に記載の方法。
【請求項２１４】
前記取り外し可能な動物格納ケージ構成要素グロメットは、取り外し可能なげっ歯類格納ケージ構成要素グロメットである、請求項２００−２１３のいずれか１項に記載の方法。
【請求項２１５】
げっ歯類格納ケージ構成要素グロメットであって、前記げっ歯類格納ケージ構成要素グロメットは、
給水管の挿入のための開口と、オス型スライド部材とを備えている内部部材と、
前記開口へのアクセスのためのスライドドアと、メス型スライド部材と、延長部材とを備えている外部部材と
を備え、
（ｉ）前記オス型スライド部材は、前記メス型スライド部材に係合し、前記内部部材と前記外部部材とを関連付け、組み立てられたグロメットを生成するように構成され、
（ｉｉ）前記組み立てられたグロメットは、前記内部部材がケージ基部壁内の開口部を通してケージ基部の内部から挿入され、前記ケージ基部の外部に位置付けられた前記外部部材に接触し、前記オス型スライド部材とメス型スライド部材とを係合させると、ケージ基部壁に取り付けられ、
（ｉｉｉ）ケージ基部壁に取り付けられているときの前記組み立てられたグロメットは、前記ケージ基部が別のケージ基部と入れ子にされ、他方のケージ基部の壁が前記延長部材に接触すると、分解され、前記ケージ基部壁から取り外される、
げっ歯類格納ケージ構成要素グロメット。
【発明の詳細な説明】
【技術分野】
【０００１】
（関連特許出願）
本特許出願は、２０１８年６月１８日に出願され、「ＮＥＳＴＡＢＬＥ  ＡＮＩＭＡＬ  ＣＯＮＴＡＩＮＭＥＮＴ  ＣＡＧＥ  ＢＡＳＥＳ  ＡＮＤ  ＣＯＶＥＲＳ  ＡＮＤ  ＮＥＳＴＩＮＧ  ＰＲＯＣＥＳＳＥＳ」と題され、発明者としてＦｒａｎｃｅｓｃａ  ＭｃＧｕｆｆｉｅ、Ｄｅｅ  Ｌ．  Ｃｏｎｇｅｒ、およびＤａｎｉｅｌ  Ｒｏｍａｎｅの名の下、代理人整理番号ＩＮＯ−１０１３−ＰＶを割り当てられた米国仮特許出願第６２／６８６，５８３号の利益を主張する。全てのテキスト、表、および図面を含む前述の特許出願の内容全体は、参照することによって本明細書に組み込まれる。
（分野）
【０００２】
技術は、部分的に畜産の分野および動物格納に関する。
【背景技術】
【０００３】
単回使用動物格納ケージ基部、ケージカバー、および他のケージ構成要素は、典型的に、使用後に廃棄または再生利用される。多くの場合、使用された動物格納ケージ基部、ケージカバー、および他のケージ構成要素は、保管および輸送を促進するように入れ子にされる。
【発明の概要】
【発明が解決しようとする課題】
【０００４】
本明細書で提供されるものは、廃棄または再生利用のために使用済みケージおよびケージ構成要素の処理を促進するケージ基部およびケージカバーの入れ子に基づく組成物および方法である。
【課題を解決するための手段】
【０００５】
ある側面で提供されるものは、底部および１つ以上の壁を伴う動物格納ケージ基部であり、壁は、内部表面と、外部表面とを備えている。ケージ基部は、別のケージ基部と入れ子になるために構成される。１つ以上のケージ構成要素および／または１つ以上のケージ構成要素搭載部材は、ケージ基部の一部と係合される。ケージ構成要素およびケージ構成要素搭載部材は、ケージ基部が入れ子にされるとき、ケージ基部からの係合解除のために構成される。
【０００６】
また、ある側面で提供されるものは、底部と、１つ以上の壁とを備えている第１のケージ基部を含む動物格納ケージ基部の組であり、壁は、内部表面と、外部表面とを備えている。第２のケージ基部は、底部と、１つ以上の壁とを備えている。第１のケージ基部は、第２のケージ基部と入れ子になるために構成され、第２のケージ基部は、第１のケージ基部と入れ子になるために構成される。１つ以上のケージ構成要素および／または１つ以上のケージ構成要素搭載部材は、第１のケージ基部の一部と係合される。ケージ構成要素およびケージ構成要素搭載部材は、第１のケージ基部と第２のケージ基部とが入れ子にされるとき、第１のケージ基部からの係合解除のために構成される。
【０００７】
また、ある側面で提供されるものは、底部と、１つ以上の壁と、１つ以上のケージ構成要素および／または１つ以上のケージ構成要素搭載部材とを備えている第１のケージ基部を、底部と、１つ以上の壁とを備えている第２のケージ基部と入れ子にすることであって、それによって、１つ以上のケージ構成要素および／または１つ以上のケージ構成要素搭載部材は、第１のケージ基部から係合解除される、ことによって、動物格納ケージ基部から１つ以上のケージ構成要素および／またはケージ構成要素搭載部材を係合解除する方法である。
【０００８】
また、ある側面で提供されるものは、内部表面と外部表面とを備えている平面領域と、カバーの周辺の周囲に延びているフランジ領域とを含む動物格納ケージカバーである。ケージカバーは、別のケージカバーと入れ子になるために構成される。１つ以上のケージ構成要素および／または１つ以上のケージ構成要素搭載部材は、ケージカバーの平面領域の一部と係合される。ケージ構成要素およびケージ構成要素搭載部材は、ケージカバーが入れ子にされるとき、ケージカバーからの係合解除のために構成される。
【０００９】
また、ある側面で提供されるものは、内部表面と外部表面とを備えている平面領域と、第１のケージカバーの周辺の周囲に延びているフランジ領域とを備えている第１のケージカバーを含む動物格納ケージカバーの組である。第２のケージカバーは、内部表面と外部表面とを備えている平面領域と、カバーの周辺の周囲に延びているフランジ領域とを備えている。第１のケージカバーは、第２のケージカバーと入れ子になるために構成され、第２のケージカバーは、第１のケージカバーと入れ子になるために構成される。１つ以上のケージ構成要素および／または１つ以上のケージ構成要素搭載部材は、第１のケージカバーの一部と係合される。ケージ構成要素およびケージ構成要素搭載部材は、第１のケージカバーおよび第２のケージカバーが入れ子にされるとき、第１のケージカバーからの係合解除のために構成される。
【００１０】
また、ある側面で提供されるものは、内部表面と外部表面とを備えている平面領域と、カバーの周辺の周囲に延びているフランジ領域とを備えている第１のケージカバー、ならびに第１のケージカバーの一部と係合される１つ以上のケージ構成要素および／または１つ以上のケージ構成要素搭載部材を、内部表面と外部表面とを備えている平面領域と、カバーの周辺の周囲に延びているフランジ領域とを備えている第２のケージカバーと入れ子にすることであって、それによって、１つ以上のケージ構成要素および／または１つ以上のケージ構成要素搭載部材は、第１のケージカバーから係合解除される、ことによって、動物格納ケージカバーから１つ以上のケージ構成要素および／またはケージ構成要素搭載部材を係合解除する方法である。
【００１１】
また、ある側面で提供されるものは、ケージ構成要素の挿入のための開口を備えている内部部材と、
【００１２】
開口へのアクセスを可能にするためのスライドドアを備えている外部部材とを含む取り外し可能な動物格納ケージ構成要素グロメットであり、内部部材および外部部材は、係合のために、かつ係合解除のために構成される。
【００１３】
また、ある側面で提供されるものは、動物格納ケージ構成要素グロメットを備えている第１のケージ基部を、底部と、１つ以上の壁とを備えている第２のケージ基部と入れ子にすることであって、それによって、動物格納ケージ構成要素グロメットは、第１のケージ基部から取り外される、ことによって、動物格納ケージから動物格納ケージ構成要素グロメットを取り外す方法である。
【００１４】
また、ある側面で提供されるものは、給水管の挿入のための開口と、オス型スライド部材とを備えている内部部材、および開口へのアクセスのためのスライドドアと、メス型スライド部材と、延長部材をと備えている外部部材を伴うげっ歯類格納ケージ構成要素グロメットである。オス型スライド部材は、メス型スライド部材に係合し、内部部材および外部部材を関連付け、組み立てられたグロメットを生成するように構成される。組み立てられたグロメットは、内部部材がケージ基部の外部に位置付けられる外部部材に接触し、オス型およびメス型スライド部材に係合するように、ケージ基部壁内の開口部を通してケージ基部の内部から挿入されるとき、ケージ基部壁に取り付けられる。ケージ基部壁に取り付けられたときの組み立てられたグロメットは、ケージ基部が別のケージ基部と入れ子にされ、他方のケージ基部の壁が延長部材に接触するとき、分解され、ケージ基部壁から取り外される。
【００１５】
ある実施形態が、以下の説明、実施例、請求項、および図面でさらに説明される。
【図面の簡単な説明】
【００１６】
図面は、本技術のある実施形態を図示するが、限定的ではない。例証を明確かつ容易にするために、図面は、一定の縮尺で作製されておらず、いくつかの事例において、種々の側面が、特定の実施形態の理解を促進するように誇張または拡大されて示され得る。
【００１７】
【図１】図１は、別のケージ基部との取り外し可能な動物格納ケージ構成要素グロメットを含むケージ基部の入れ子の後面等角図を示す。
【００１８】
【図２】図２は、最初に図１に示されるケージ基部の進展した入れ子の後面等角図を示す。
【００１９】
【図３】図３は、最初に図１に示されるケージ基部の完成した入れ子の後面等角図を示す。
【００２０】
【図４】図４は、ケージ基部壁への取り外し可能な動物格納ケージ構成要素グロメットの取り付けの底部後面等角図を示す。
【００２１】
【図５】図５は、ケージ基部壁への取り外し可能な動物格納ケージ構成要素グロメットの完成した取り付けの底部後面等角図を示す。
【００２２】
【図６】図６は、取り外し可能な動物格納ケージ構成要素グロメットの中に挿入されるように定位置にある給水管の後面図を示す。
【００２３】
【図７】図７は、取り外し可能な動物格納ケージ構成要素グロメットの中に挿入された給水管の後面図を示す。
【００２４】
【図８】図８は、閉鎖位置にドアを伴う取り外し可能な動物格納ケージ構成要素グロメットの後面図を示す。
【００２５】
【図９】図９は、開放位置にドアを伴う取り外し可能な動物格納ケージ構成要素グロメットの後面図を示す。
【００２６】
【図１０Ａ】図１０Ａは、取り外し可能な動物格納ケージ構成要素グロメットの底面図を示す。
【００２７】
【図１０Ｂ】図１０Ｂは、取り外し可能な動物格納ケージ構成要素グロメットの側面図を示す。
【００２８】
【図１０Ｃ】図１０Ｃは、取り外し可能な動物格納ケージ構成要素グロメットの後面図を示す。
【００２９】
【図１０Ｄ】図１０Ｄは、取り外し可能な動物格納ケージ構成要素グロメットの底部正面等角図を示す。
【００３０】
【図１１Ａ】図１１Ａは、分解された取り外し可能な動物格納ケージ構成要素グロメットの正面等角図を示す。
【００３１】
【図１１Ｂ】図１１Ｂは、分解された取り外し可能な動物格納ケージ構成要素グロメットの後面等角図を示す。
【００３２】
【図１２Ａ】図１２Ａは、開放位置にドアを伴う取り外し可能な動物格納ケージ構成要素グロメットの後面図を示す。
【００３３】
【図１２Ｂ】図１２Ｂは、開放位置にドアを伴う取り外し可能な動物格納ケージ構成要素グロメットの後面等角図を示す。
【００３４】
【図１２Ｃ】図１２Ｃは、開放位置にドアを伴う取り外し可能な動物格納ケージ構成要素グロメットの底部後面等角図を示す。
【００３５】
【図１３】図１３は、別のケージカバーとの水パウチを含むケージカバーの入れ子の等角図を示す。
【００３６】
【図１４】図１４は、最初に図１３に示されるケージカバーの進展した入れ子の等角図を示す。
【００３７】
【図１５】図１５は、最初に図１３に示されるケージカバーの完成した入れ子の透視側面図を示す。
【００３８】
【図１６】図１６は、別のケージ基部との圧潰可能な給餌器を含むケージ基部の入れ子の等角図を示す。
【００３９】
【図１７】図１７は、最初に図１６に示されるケージ基部の進展した入れ子の等角図を示す。
【００４０】
【図１８】図１８は、最初に図１６に示されるケージ基部の完成した入れ子の透視側面図を示す。
【００４１】
【図１９】図１９は、別のケージ基部との圧潰可能な飼育環境充実化のための回し車を含むケージ基部の入れ子の等角図を示す。
【００４２】
【図２０】図２０は、最初に図１９に示されるケージ基部の進展した入れ子の等角図を示す。
【００４３】
【図２１】図２１は、最初に図１９に示されるケージ基部の完成した入れ子の透視側面図を示す。
【発明を実施するための形態】
【００４４】
図面内のある特徴が、表１に要約される。
【表１】
2021528064.tif 000003
【００４５】
本明細書で提供されるものは、ケージ基部が入れ子にされるときに係合解除され得るケージ構成要素部材およびケージ構成要素搭載部材を有する入れ子にされ得る動物格納ケージ基部である。また、本明細書で提供されるものは、ケージカバーが入れ子にされるときに係合解除され得るケージ構成要素部材およびケージ構成要素搭載部材を有する入れ子にされ得る動物格納ケージカバーである。係合解除されたケージ構成要素部材およびケージ構成要素搭載部材のうちのいくつかまたは全ては、取り外されるが、入れ子にされたケージ基部または入れ子にされたケージカバーに関連付けられたままである。加えて、取り外されたが関連付けられたケージ構成要素部材およびケージ構成要素搭載部材は、多くの場合、平坦な外形を有する、または入れ子プロセスにおいて平坦化される。また、ケージ基部、ケージカバー、ケージ構成要素部材、およびケージ構成要素搭載部材は、同一の再生利用可能材料から構築されることができる。本明細書に説明されるケージ基部、ケージカバー、ケージ構成要素部材、およびケージ構成要素搭載部材の使用は、限定ではないが、以下を含む、多くの利点を提供することができる。あまり労働集約的、反復的ではなく、時間がかからないユーザ操作、すなわち、（ｉ）ケージ構成要素部材およびケージ構成要素搭載部材が、入れ子に先立ってケージ基部およびカバーから個別に取り外される必要がない（入れ子によって取り外される）、（ｉｉ）係合解除されたケージ構成要素部材およびケージ構成要素搭載部材が、全て同一の材料であるので、再生利用に先立ってケージ基部またはケージカバーから分離される必要がない。ある平坦または扁平なケージ構成要素部材および／またはケージ構成要素搭載部材が、ケージ基部またはケージカバーの入れ子の程度に有意に干渉することなく、入れ子にされたケージ基部またはケージカバーに関連付けられるので、材料のより高い入れ子密度が、達成されることができる。説明される方法とともに、入れ子にされ得る説明されるケージ基部およびケージカバーの使用は、さらなる準備を伴わずに再生利用され得るあるケージ構成要素ともに、ケージ基部またはケージカバーのコンパクトなアセンブリをもたらす。
【００４６】
動物格納ケージユニットは、多くの場合、ケージユニット基部部材と、カバー部材と、ケージ基部および／またはケージカバーに関連付けられる、１つ以上の追加の構成要素部材とを備えている。動物ケージ基部は、時として、カバーと別個に提供され、カバーは、多くの場合、ケージ基部に密閉状態で取り付けられることができ、カバーは、多くの場合、基部から容易に取り外し可能である。種々の動物が、本明細書に説明されるケージ内に格納されることができる。限定ではないが、マウス、ラット、ハムスター、アレチネズミ、モルモット、チンチラ、およびウサギを含む、げっ歯類が、多くの場合、そのようなユニット内に格納される。
（ケージ基部）
【００４７】
ケージ基部は、例えば、円筒形、略円筒形、円錐形、長方形、正方形、立方体、偏菱形、および同等物等の動物を収納するために好適な任意の幾何学形状である。ケージ基部は、多くの場合、複数の側壁部材（例えば、４つの側壁部材）を支持する底部材を備えている。１つの側壁部材は、多くの場合、「前側壁部材」と称され、反対の側壁部材は、多くの場合、「後側壁部材」と称される。対向する側壁部材は、時として、平行である、略平行である、平行ではない、偏菱形である、略偏菱形であるか、または、それらの組み合わせである。いくつかの実施形態において、対向する側壁は、平行ではなく、底部に対して垂直ではない。そのような実施形態において、側壁、時として、全ての側壁は、例えば、約９１度〜約１０５度の角度、約９２度〜約９８度の角度、または約９５度の角度等の底部に対して９０度ではない角度にある。（底部に対する）そのような角度付き側壁構成は、ケージ基部の入れ子を促進することができる。
【００４８】
１つ以上の側壁部材の上縁は、多くの場合、側壁部材の外面から、多くの場合、垂直に延びているフランジ部分と連続的である。フランジは、時として、ケージの上部周辺の周囲に連続表面を形成し、その表面は、多くの場合、ケージがその底部材上に静置するときに水平である。フランジは、時として、本明細書にさらに説明される、カバー部材の一部と噛合するように構成される。いくつかの実施形態において、フランジは、時として、カバーの対応する部材と噛合して取り外し可能なシールを形成する随意の下向きに延びている穴縁部材を含む。基部の穴縁部材の外形は、カバーの対応する構造との嵌合を可能にするための任意の形状であり、外形は、時として、曲線状であり、時として、Ｓ字形、Ｖ字形、またはＪ字形である。
【００４９】
側壁部材および底部材は、典型的に、ポリマーから構築され、約０．０１〜約０．０８インチの厚さまたは約０．０１〜約０．０３インチの厚さを有することができる。側壁は、多くの場合、実質的に一様な厚さである。底部は、多くの場合、実質的に一様な厚さである。
（ケージカバー）
【００５０】
カバーが、多くの場合、ケージ基部と別個に提供され、時として、シール取り付けにおいて、多くの場合、ケージ基部と可逆的に噛合し、基部への取り付けを可能にする任意の好適な幾何学形状である。カバー部材は、多くの場合、略平面領域と、フランジ領域とを備えている。略平面領域は、多くの場合、本明細書に説明される１つ以上のケージ構成要素を備えている。いくつかの実施形態において、ケージカバーは、水レセプタクルのためのホルダまたは水ボトル空洞等の一体構造を含むことができる。フランジ領域は、時として、エンボス加工され、隆起されることができ、多くの場合、穴縁として下向きに延びている領域（「穴縁」と称される）を備えている。フランジおよび随意の穴縁領域は、カバーの周辺の周囲に連続的に延び得る。フランジおよび随意の穴縁の外形は、多くの場合、ケージ基部上のフランジおよび随意の穴縁に対応し、多くの場合、カバーが締まり嵌めを介して基部とシールすることを可能にする。フランジおよび随意の穴縁は、基部との締まり嵌めを生じさせるように任意の形状であり、時として、例えば、上向きまたは逆のＳ字形、Ｖ字形、Ｊ字形、およびＵ字形である。カバーが構築され得る材料の実施例は、ケージ基部に関して上で説明されるものを含む。時として、カバーおよび基部は、同一の材料から構築され、時として、類似または同一の厚さである。
（入れ子にされたケージ基部およびカバー）
【００５１】
ケージ基部が、別のケージ基部の中に挿入されることができ、いくつかのケージ基部が、スタックされることができ、またはケージカバーが、別のケージカバーの中に挿入されることができ、いくつかのケージカバーが、スタックされることができ、それは、本明細書では「入れ子」と称される。ケージ構成要素を入れ子にすることは、同数の入れ子にされていない部材と比較して、複数のケージ基部またはケージカバーの体積を有意に低減させ、それは、例えば、廃棄または再生利用のための施設への使用済みケージ基部またはケージカバーの保管および発送のために有利である。限定ではないが、１０個以上、２０個以上、３０個以上、４０個以上、５０個以上、６０個以上、７０個以上、８０個以上、９０個以上、または１００個以上同様の部材を含む任意の便宜的な数の同様の部材が、入れ子にされることができる。入れ子の程度または効率は、時として、入れ子にされた部材の全体的な高さまたは体積に対する、それを格納する別の同様の部材内の入れ子にされた部材の高さまたは体積である、割合の観点から表されることができる。したがって、用語「８０％入れ子にされる」は、入れ子にされたケージ部材の体積または高さの８０％を示す、例えば、それが挿入される部材内に格納される。スタックされたとき、本明細書で提供されるケージ基部は、多くの場合、約７５％以上入れ子にされ、時として、約８０％以上、または約８５％以上入れ子にされ、時として、約９０％〜約９５％入れ子にされる。スタックされたとき、本明細書で提供されるケージカバーは、多くの場合、約７０％以上入れ子にされ、時として、約７５％以上、時として、約８０％以上、または約８５％以上入れ子にされ、時として、約９０％〜約９５％入れ子にされる。
【００５２】
したがって、ある実施形態において、提供されるものは、入れ子にされ得るケージ基部である。ある実施形態において、提供されるものは、入れ子にされ得るケージカバーである。
【００５３】
本明細書で使用されるように、「入れ子」は、係合解除されるべき少なくとも１つの係合されたケージ構成要素またはケージ搭載部材を有する第１のケージ基部（すなわち、上側基部）を第２のケージ基部（すなわち、下側基部）の内部の中に挿入すること（第２のケージ基部は、単独であるか、または、入れ子にされたケージ基部のスタックの一部であり得る）、または第２のケージ基部（すなわち、上側基部）を、係合解除されるべき少なくとも１つの係合されたケージ構成要素またはケージ搭載部材を有する第１のケージ基部（すなわち、下側基部）の内部の中に挿入すること（第１のケージ基部は、単独であるか、または、入れ子にされたケージ基部のスタックの一部であり得る）である。
【００５４】
また、本明細書で使用されるように、「入れ子」は、係合解除されるべき少なくとも１つの係合されたケージ構成要素またはケージ搭載部材を有する第１のケージカバー（すなわち、上側カバー）を第２のケージカバー（すなわち、下側ケージカバー、第２のケージカバーの外部表面は、第１のケージカバーの内部表面によって接触される）の中に挿入すること（第２のケージカバーは、単独であるか、または、入れ子にされたケージカバーのスタックの一部であり得る）、または第２のケージカバー（すなわち、上側カバー）を、係合解除されるべき少なくとも１つの係合されたケージ構成要素またはケージ搭載部材を有する第１のケージカバー（すなわち、下側ケージカバー、第１のケージカバーの外部表面は、第２のケージカバーの内部表面によって接触される）の中に挿入すること（第１のケージ基部は、単独であるか、または、入れ子にされたケージ基部のスタックの一部であり得る）である。
（ケージ構成要素部材）
【００５５】
典型的に、ケージ構成要素は、ケージ基部またはケージカバーから分離しており、ケージ基部またはその一部、またはケージカバーまたはその一部に可逆的に係合される。いくつかの実施形態において、ケージ基部またはケージカバーに一体的であり得るが、恒久的には統合されない。
【００５６】
ケージ構成要素またはケージ構成要素部材の実施例は、ケージ基部およびケージカバーに加えて、限定ではないが、飼料供給構成要素（多くの場合、本明細書では「給餌器」、「食物桶」、「食物トレイ」と称される）、給水構成要素（例えば、水ボトル、水パウチ）、給水ホルダまたは給水レセプタクル（例えば、ボトルホルダまたはメッシュパウチホルダ）、カードホルダ、シェルタ（例えば、ドーム）、運動構成要素（例えば、回し車）、飼育環境充実化のための構成要素、およびそれらの組み合わせ（例えば、回し車およびドームの組み合わせ）を含むことができる。
【００５７】
シェルタ構造は、動物が構造に進入し、構造によって被覆または部分的に被覆されることを可能にする任意の形状または幾何学形状である。動物を収納するための任意の便宜的な構造が、使用されることができ、いくつかの実施形態において、シェルタは、有孔パイプ構造である。複合給餌およびシェルタ構造の実施例が、米国特許第６，５７１，７３８号に説明される。
【００５８】
入れ子に先立ってケージ基部またはケージ蓋から移動させられるケージ構成要素（例えば、給水管またはセンサ）は、上で議論される構成要素に含まれない。
【００５９】
ケージ構成要素部材が、例えば、ケージ基部およびケージカバーを製造するために説明されるもの等の材料および製造プロセスを使用して、動物を格納するために好適な任意の材料から構築されることができる。いくつかの実施形態において、ケージ構成要素が、再生利用され得るケージ基部およびケージカバーと同一のポリマー材料（例えば、ＰＥＴ）から構築される。これは、再生利用に先立って、入れ子にされたケージ基部または入れ子にされたケージカバーから係合解除されたケージ構成要素を分類する必要性を排除する。
（ケージ構成要素搭載部材）
【００６０】
ケージ構成要素搭載部材が、ケージ構成要素部材をケージ基部またはケージカバーと係合させる、または取り付けるために、使用されることができる。いくつかの実施形態において、ケージ構成要素搭載部材が、ケージ構成要素をケージ基部壁の内部または外部表面、またはケージカバーの内部または外部表面と係合させることができる。いくつかの実施形態において、ケージ構成要素搭載部材は、ケージ構成要素が、ケージの内部領域にアクセスし得るように、ケージ基部壁を通して、またはケージカバーを通して、ケージ構成要素を挿入するために使用されることができる。
【００６１】
ケージ構成要素搭載部材は、ケージ構成要素の一部（例えば、食物トレイの上縁を囲繞するフランジ部材等のケージ構成要素のフランジ）、またはケージ構成要素へのアタッチメントであり得る。ケージ構成要素搭載部材は、ケージ構成要素が、その意図された機能を実行することができるように、ケージ基部またはケージカバーと係合されることを可能にする任意の好適な形状またはサイズであり得る。
【００６２】
いくつかの実施形態において、ケージ構成要素搭載部材が、ケージ基部の側壁の内側表面へのケージ構成要素（例えば、カードホルダ）の取り付けを可能にするケージ基部の１つ以上の側壁部材の内面から延びている１つ以上のマウントまたはクレードル上に静置する、またはそれによって位置付けられる。いくつかの実施形態において、ケージ構成要素搭載部材が、ケージ基部の側壁の外側表面へのケージ構成要素（例えば、カードホルダ）の取り付けを可能にするケージ基部の１つ以上の側壁部材の外面から延びている１つ以上のマウントまたはクレードル上に静置する、またはそれによって位置付けられる。いくつかの実施形態において、ケージマウントは、略平坦な平面部材であり、ケージマウントの表面は、ケージ基部の底部の表面と平行または略平行である。
【００６３】
ケージ基部は、時として、ケージ基部の内部に向かって延びている１つ以上のくぼみを側壁部材内に備えている。くぼみは、時として、１つ以上のケージ構成要素（例えば、給餌トレイ）を配向するように構成され、時として、それまたはその一部は、このように利用されるとき、「クレードル」または「支持部材」と称される。支持体は、ケージ構成要素を支持および配向するために有用な任意の幾何学形状であり、時として、基部ユニット底面と平行な平面的上面を備えている延在部である。ケージ基部は、時として、ケージ基部の内部から離れるように延び、ケージ構成要素搭載部材またはその一部を受容するように適合される形状である、１つ以上の戻り止めを側壁部材内に備えている。
【００６４】
ある実施形態において、ケージカバーは、それを通してケージ構成要素搭載部材またはケージ構成要素が固定および／または懸垂される、開口を備えている。いくつかの実施形態において、ケージカバーは、ケージ構成要素のためのホルダまたはレセプタクルを備えている。
【００６５】
ケージ構成要素搭載部材は、ケージ構成要素搭載部材に関連付けられるケージ構成要素が、ケージ基部またはケージカバーから係合解除されるように、ケージ基部またはケージカバーの入れ子によって妨害され得る任意の様式によって、ケージ構成要素をケージ基部の壁またはケージカバーの表面と係合させることができる。例えば、係合は、限定ではないが、垂下、懸垂、静置、対応する特徴とのスライド係合による可逆的関連付け、可逆的にシールすること、または開口の中に挿入することであり得る。いくつかの実施形態において、ケージ構成要素またはケージ構成要素搭載部材は、ケージ基部またはケージカバーの入れ子によって遊離されることができる。いくつかの実施形態において、ケージ構成要素搭載部材は、ケージ基部またはケージカバーの入れ子、ケージ基部またはケージカバーからケージ構成要素を係合解除または解放することによって、それが取り付けられるケージ構成要素から解体される、または剪断されることができる。いくつかの実施形態において、ケージ構成要素搭載部材は、離脱部品として形成されることができる。いくつかの実施形態において、ケージ基部またはケージカバーに可逆的にシールまたは添着される、または取り付けられるケージ構成要素搭載部材は、ケージ基部またはケージカバーの入れ子によって、ケージ基部またはケージカバーから分離されることができる。いくつかの実施形態において、ケージ構成要素搭載部材は、基部またはカバーの入れ子によって、それによって、ケージ基部またはケージカバーからケージ構成要素および／またはケージ構成要素搭載部材を係合解除または解放することによって、２つ以上の構成要素部品に分解されることができる。
【００６６】
いくつかの実施形態において、ケージ構成要素搭載部材は、動物格納ケージの標準的使用によって生成される条件にさらされたとき、それらの構造完全性を維持するであろうが、入れ子に起因する条件下ではそれらの完全性を維持しないであろう公知の材料から構築されることができる。いくつかの実施形態において、ケージ構成要素搭載部材は、動物格納ケージの典型的使用によって生成される条件にさらされたとき、シールまたは接着するように機能するであろうが、入れ子に起因する条件下ではシールまたは接着するように機能しないであろう公知の材料を使用して、シールまたは添着されることができる。いくつかの実施形態において、ケージ構成要素搭載部材は、入れ子条件下でのみ侵害される、（例えば、ケージ構成要素搭載部材の残りの部分よりも少ない厚さの）１つ以上の脆弱区分を有するように構築されることができる。いくつかの実施形態において、ケージ構成要素搭載部材は、ケージ基部またはケージカバーと同一の材料から作製されることができ、１つ以上の脆弱区分を有するように構築される。
【００６７】
いくつかの実施形態において、ケージ構成要素（例えば、給水管）が、入れ子に先立ってケージ構成要素搭載部材から除去され、それは、入れ子によってケージ基部またはケージカバーから係合解除されるケージ構成要素を伴わないケージ構成要素搭載部材である。そのようなケージ構成要素搭載部材の非限定的実施例は、取り外し可能な動物格納ケージ構成要素グロメット（以降では「グロメット」）（例えば、図５−１２に図示される２００）である。組み立てられたグロメット（２００）は、内部部材（例えば、図４および１１Ｂ内の２０２）と、外部部材（例えば、図３、４、および１１Ｂ内の２０１）とを含むことができる。
【００６８】
内部部材（２０２）が、ケージ基部の内部から、ケージ基部の後壁（例えば、図１内の１０２）内の搭載開口部（例えば、図１内の１０３）の中に、かつそれを通して挿入されることができる。内部部材は、時として、円盤状（例えば、図１１Ａおよび１１Ｂ内の２０１）であり得、２つの側面を有することができる。内部部材が、ケージ基部壁の搭載開口部の中に、かつそれを通して挿入されるとき、一方の側面は、ケージ基部の内部に面することができ、略平坦であり得る。平坦な側面は、第１の内部部材半径（例えば、図１０Ａおよび１１Ａ内の２２０）と、第２の内部部材半径（例えば、図１１Ａ内の２２４）と、開口（例えば、図１１Ａ内の２０５）とを有することができる。他方の側面は、部分的にケージ基部壁の内面に接触することができ、部分的に長方形であり、搭載開口部を占有することができる（図４参照）。内部部材の他方の側面は、開口（例えば、図１１Ｂ内の２０５）と、それぞれ、ケージ基部の外部の中へ突出し得る長方形の各短辺上のオス型スライド部材（例えば、図４および１１Ｂ内の２０４）とを含むことができる。オス型スライド部材は、内部部材および外部部材の組立および分解を促進する、傾斜表面（例えば、図４および１１Ｂ内の２０７）を有することができる。
【００６９】
外部部材（２０１）が、ケージ基部壁の外部に位置する（図４参照）。外部部材は、形状が長方形であり得、各短辺上にメス型スライド部材（例えば、図４、５、１１Ｂ、および１２Ｃ内の２０６）を含み得るスライドスタンド（例えば、図５、６、７、および８内の２０８）を有することができる。外部部材は、オス型スライド部材がスライド部材停止（例えば、図１１Ａ内の２２３）に接触し、したがって、外部部材および内部部材を係合させ、グロメットをケージ基部壁に取り付けるまで（図５参照）、メス型スライド部材（２０６）が、それが整列させられるオス型スライド部材（２０４）にスライド可能に係合し得る（図４、１０Ａ、および１１Ｂ参照）ように、向けられることができる。
【００７０】
外部部材は、グロメットがケージの中に降下することを防止する保持表面（例えば、図１０Ａ内の２２１）を含むことができる。外部部材は、延長部材（例えば、図２、１０Ｂ、および１０Ｄ内の２０３）を含むことができる。
【００７１】
外部部材はまた、スライドスタンド（２０８）に対して移動し得るドア（例えば、図５、６、および７内の２０９）を含むこともできる。ドアは、ドアガイド（例えば、図９および１２Ｃ内の２１８）上でスライドし得るドアレール（例えば、図７および１２Ａ−Ｃ内の２１６）を有することができる。ドアは、傾斜表面（例えば、図６、７、８、１０Ｃ、および１０Ｄ内の２１０）を有することができる。ドアは、ドアが過剰に開放することを防止するドア保持装置（例えば、図６、７、８、９、１０Ｂ、および１２Ｂ内の２１１）と、底部ドア停止（例えば、図７、８、９、１０Ｂ、１２Ａ、および１２内のＣ２１５）と、上部ドア停止（例えば、図８、９、および１２Ｃ内の２１７）と、ドア保持装置を補強する接続部材（例えば、図１０Ｃおよび１２Ｂ内の２２２）とを有することができる。
【００７２】
いったんグロメットが上で説明されるように組み立てられると、ケージが、自動補水システムを配設させたラックの中に設置されることができる。ケージが、ラック上に固定される給水管に向かって押されるとき、グロメットは、給水管（例えば、図６および７内の３００）と係合される。給水管は、角度付き表面（２１０）に接触し、給水管は、ドアが４５度の角度にあるので、ドア（２０９）を自動的に上昇させ、給水管が通って進行し、動物がそれにアクセスし得るケージの内部に到達する開口（２０５）を露出する。ケージが、ラックから除去されるとき、給水管は、グロメットから係合解除し、ドアは、重力に起因して自動的に閉まる。図６は、給水管が可視であり、グロメットの中に挿入されていない、閉鎖されたドアを示す。図７は、給水管係合に起因して開放しているドアを示す。ドアは、開口２０５を被覆する閉鎖位置（図５、６、および８参照）または開口を露出する開放位置（図９参照）にあり得る。
【００７３】
いくつかの実施形態において、取り外し可能な動物格納ケージ構成要素グロメットが、（例えば、ケージ基部壁を通して）ケージの内部に挿入され、それから除去される必要がある任意のケージ構成要素またはアイテムのために使用されることができる。例えば、センサである。いくつかの実施形態において、グロメットの開口の形状は、挿入されるべき構成要素の形状に合致するために変動し得る。
係合解除
【００７４】
１つのカバーを別のカバーに、または１つの基部を別の基部に入れ子にする行為は、ケージ構成要素および／またはケージ構成要素搭載部材（例えば、グロメット）を係合解除または遊離させることができる。ある実施形態において、入れ子は、ケージ構成要素搭載部材の有無を問わず、ケージ構成要素をケージ基部またはケージカバーから係合解除する。いくつかの実施形態において、入れ子は、ケージ構成要素を有する第１のケージ基部（すなわち、上側基部）を第２のケージ基部の内部の中に挿入することを含む。第２のケージ基部は、単独であるか、または、入れ子にされたケージ基部のスタックの一部であり得る。ケージ構成要素を第１のケージ基部と係合させるために使用される第１のケージ基部のケージ構成要素またはケージ構成要素搭載部材は、第２のケージ基部によって接触される。接触は、典型的に、基部壁の上縁、または第２のケージ基部（すなわち、下側基部）の壁の上側縁を形成するフランジ部材によるものである。入れ子によって発生され、第２のケージによって伝達される上向きに向けられた力は、ケージ構成要素またはケージ構成要素搭載部材を遊離または移動させるために十分であり得る。いくつかの実施形態において、ケージ構成要素またはケージ構成要素搭載部材、またはその一部は、上向きに平行移動させられる（上向きに係合トラックから外れてスライドする）。
【００７５】
入れ子による係合解除の非限定的実施形態が、図１−３に示される。図１−３は、２つのケージ基部の入れ子の進展（入れ子にされようとしているケージ基部、部分的に入れ子にされたケージ基部および分解し始めるグロメット、完全に入れ子にされたケージ基部）を図示する。本実施形態において、ケージ基部（例えば、図１、２、および３内の１００）の入れ子は、グロメット（例えば、図１および２内の２００）を分解し、したがって、ケージ基部壁からグロメットを取り外す。グロメットの底部延長部材（例えば、図１および２内の２０３）は、下側ケージ基部（例えば、図１内の１０１）の頂面に接触する。本作用は、外部グロメット部材（２０１）に取り付けられたメス型スライド部材（２０６）を上向きにスライドさせ、内部グロメット部材（２０２）に取り付けられたオス型スライド部材（２０４）から外す。図３は、グロメットを分解させ、ケージ基部から分離させる、ケージ基部の完全な入れ子を示す。内部部材（２０２）は、ケージ基部の中に降下し、ケージ基部の底部に対して平坦である。外部部材（２０１）は、ケージ基部の外部に降下する。
【００７６】
いくつかの実施形態において、ケージ構成要素搭載部材またはその一部は、ケージ基部またはケージカバーの入れ子によって破砕または剪断されることができる。
【００７７】
いくつかの実施形態において、入れ子は、第２のケージ基部（すなわち、上側基部）を、係合解除されるべき係合されたケージ構成要素またはケージ搭載部材を有する第１のケージ基部の内部の中に挿入することを含む。本実施形態は、ケージ基部の底部によって伝達される、ケージ構成要素またはケージ構成要素搭載部材上の下向きに向けられた力をもたらし得る。
【００７８】
易破性タブまたはケージ構成要素搭載コネクタを伴う入れ子による係合解除の非限定的実施形態が、図１６−１８に示される。図１６−１８は、２つのケージ基部の入れ子の進展（入れ子にされようとしているケージ基部、部分的に入れ子にされたケージ基部、および完全に入れ子にされたケージ基部）を図示する。本実施形態において、易破性タブ（例えば、図１６および１７内の６０１）は、給餌器が、ケージ基部の内壁に接触し、ケージ基部の内部に懸垂されるように、圧潰可能な給餌器（例えば、図１６および１７内の６００）の側面に取り付けられる。本実施形態において、ケージ基部（例えば、図１６、１７、および１８内の１００）の入れ子は、易破性タブを折り、それは、したがって、ケージ基部壁から給餌器を取り外す。入れ子は、十分な下向きに向けられた力を用いて上側ケージ基部（例えば、図１７および１８内の１０４）の底部を下側ケージ基部内の給餌器に接触させ、易破性タブを給餌器から折り取らせる。係合解除された給餌器は、下側ケージ基部の内部に留まる。ケージ基部のさらなる入れ子および上側ケージ基部の底部との継続的接触は、圧潰可能な給餌器を下側ケージ基部の床上に圧潰させる（例えば、図１８内の６０２）。
【００７９】
いくつかの実施形態において、係合解除されたケージ構成要素または係合解除されたケージ構成要素搭載部材の場所は、ケージ基部壁の内部または外部表面、またはケージカバーの内部または外部表面に対する係合されたケージ構成要素またはケージ構成要素搭載部材の設置に基づいて、構成されることができる。例えば、１つ以上のケージ壁の内部表面と係合される給餌器部材が、係合解除されたとき、ケージ基部の内部に位置するであろう。別の実施例において、ケージカバーの上面と係合されカードホルダが、係合解除されたとき、ケージカバーの外部に位置するであろう。
【００８０】
いくつかの実施形態において、入れ子にされた基部または入れ子にされたカバーを伴って留まる、遊離または係合解除されたケージ構成要素および／またはケージ構成要素搭載部材が、一緒に再生利用されることができる。いくつかの実施形態において、入れ子にされた基部または入れ子にされたカバーを伴って留まらない（外部にある）、遊離または係合解除されたケージ構成要素および／またはケージ構成要素搭載部材は、再生利用または再利用のために収集されることができる。
【００８１】
ケージカバーの入れ子はまた、ケージカバーからケージ構成要素またはケージ構成要素搭載部材を遊離または係合解除させ得るか、または、カバーに関連付けられたままであるケージ構成要素を圧潰または圧搾し得る上向きに向けられた力または下向きに向けられた力のいずれかを発生させることもできる。
【００８２】
入れ子による圧潰の非限定的実施形態が、図１３−１５に示される。図１３−１５は、２つのケージカバーの入れ子の進展（入れ子にされようとしているケージカバー、部分的に入れ子にされたケージカバー、および完全に入れ子にされたケージカバー）を図示する。本実施形態において、ケージカバー（例えば、図１３、１４、および１５内の４００）の入れ子は、一体ボトル空洞内にあり、下側ケージカバーに関連付けられたままである水パウチ（例えば、図１３、１４、および１５内の５００）を圧潰する。上側ケージカバー（例えば、図１３、１４、および１５内の４０１）のボトル空洞は、ケージカバーが入れ子にされるとき、下側ケージカバー内の水パウチに接触する（図１４参照）。下向きに向けられた力は、水パウチを圧潰させる（図１５参照）。
【００８３】
いくつかの実施形態において、ケージ基部またはケージカバーからケージ構成要素および／またはケージ構成要素搭載部材を係合解除するためのケージ基部またはケージカバーの入れ子は、所望の数の入れ子にされたケージ基部またはケージカバーがともにスタックされるまで、新しいケージ基部またはケージカバーを用いて繰り返されることができる。
（圧搾可能または圧潰可能な構成要素）
【００８４】
いくつかの実施形態において、ケージ基部の側壁から係合解除された後のケージ構成要素および／またはケージ構成要素搭載要素が、ケージ基部の内部に留まる。典型的に、ケージ基部の底部の内部表面上にある。いくつかの実施形態において、ケージ基部の内部に留まるケージ構成要素および／またはケージ構成要素搭載要素は、主に平坦であり、ケージ基部の底部の内部表面に対して小さい垂直外形を提示する（例えば、平らになる）向きを成す。いくつかの実施形態において、ケージ基部の内部に留まるケージ構成要素および／またはケージ構成要素搭載要素は、有意な外形（例えば、給餌トレイ）を有する。いくつかの実施形態において、ケージ構成要素は、ケージ基部の底部の内部表面（例えば、回し車またはドーム構造）上に設置される。いくつかの実施形態において、ケージ構成要素は、ケージ搭載部材によってケージ基部またはケージカバーと係合されないが、ボトルホルダ等のホルダ内に存在する。そのようなケージ構成要素は、入れ子によって取り外されないが、入れ子にする行為によって圧潰または圧搾される（図１３−１５参照）。いくつかの実施形態において、これらの構成要素は、ケージ内の通常の使用を受けたとき、それらの構造が無傷のままであるように構築され得る。しかしながら、ケージ基部が、別のケージ基部と入れ子にされるとき、ケージ基部を入れ子にする行為によって発生される下向きの力が、ケージ基部の底部またはその一部によってケージ構成要素に伝達され、全体的または部分的にケージ構成要素の構造を侵害するために十分であり得る。いくつかの実施形態において、ケージ構成要素は、ケージ基部の入れ子が有意に影響を受けない十分な程度に、破砕、圧搾、平坦化、または圧潰される。いくつかの実施形態において、そのようなケージ構成要素（例えば、回し車またはドーム構造、筐体構造）は、ケージ基部内に留まり、入れ子に先立った手動除去の必要性を排除することができる。いくつかの実施形態において、ケージ構成要素は、再生利用の準備ができている材料の一部になる。
【００８５】
ケージ基部の内部に設置されるケージ構成要素の圧潰をもたらす、入れ子の非限定的実施形態が、図１９−２１に示される。図１９−２１は、２つのケージ基部の入れ子の進展（入れ子にされようとしているケージ基部、部分的に入れ子にされたケージ基部、および完全に入れ子にされたケージ基部）を図示する。本実施形態において、圧潰可能な飼育環境充実化のための回し車（例えば、図１９および２０内の７００）が、入れ子に先立ってケージ基部の内部から除去されない。本実施形態において、ケージ基部（例えば、図１９、２０、および２１内の１００）の入れ子は、十分な下向きに向けられた力を用いて上側ケージ基部（例えば、図２０および２１内の１０４）の底部を下側ケージ基部の床上の圧潰可能な飼育環境充実化のための回し車に接触させ、再生利用のために留まるであろう、下側ケージ基部の床上への圧潰可能な飼育環境充実化のための回し車の圧潰（例えば、図２１内の７０１）をもたらす。
（製造）
【００８６】
ケージ基部、ケージカバー、ケージ構成要素、およびケージ構成要素搭載部材が、動物を収納するために好適な１つ以上の材料から製造され得る。ケージ基部、ケージ蓋、ケージ構成要素またはその一部、またはケージ構成要素搭載部材の製造のために利用され得る材料の非限定的実施例は、好適なプラスチックまたはポリマー（例えば、ポリプロピレン（ＰＥ）、高密度ポリエチレン、低密度ポリエチレン、ポリエチレンテレフタレート（ＰＥＴ）、ポリ塩化ビニル（ＰＶＣ）、ポリエチレンフルオロエチレン（ＰＥＦＥ）、ポリスチレン（ＰＳ）、ポリカーボネート、ポリスチレン（例えば、高密度密度ポリスチレン）、アクリロニトリルブタジエンスチレンコポリマー、同等物、またはそれらの組み合わせ）を含む。ある実施形態において、再生利用可能材料が、使用される（例えば、ＰＥＴ）。いくつかの実施形態において、ケージ基部、ケージ蓋、ケージ構成要素、およびケージ構成要素搭載部材は全て、再生利用に先立って別個の異なるアイテムを分離する必要性を排除するように、ＰＥＴ等の同一の再生利用可能ポリマーから構築される。
（実施形態の例）
【００８７】
以降で提供されるものは、本技術のある実施形態の非限定的実施例である。
Ａ１．  動物格納ケージ基部であって、動物格納ケージ基部は、
【００８８】
底部および１つ以上の壁であって、壁は、内部表面と、外部表面とを備え、
【００８９】
ケージ基部は、別のケージ基部と入れ子になるために構成されている、
底部および壁と、
【００９０】
ケージ基部の一部と係合された１つ以上のケージ構成要素および／または１つ以上のケージ構成要素搭載部材と、
【００９１】
を備え、１つ以上のケージ構成要素および１つ以上のケージ構成要素搭載部材は、ケージ基部が入れ子にされるとき、ケージ基部からの係合解除のために構成されている、
動物格納ケージ基部。
【００９２】
Ａ２．  入れ子は、別のケージ基部の中に挿入されるケージ基部を備えている、実施形態Ａ１に記載の動物格納ケージ基部。
【００９３】
Ａ３．  入れ子は、ケージ基部の中に挿入される別のケージ基部を備えている、実施形態Ａ１に記載の動物格納ケージ基部。
【００９４】
Ａ４．  ケージ構成要素のうちの１つ以上は、ケージ基部の壁との係合のために構成されたケージ構成要素搭載部材を備えている、実施形態Ａ１−Ａ３のいずれか１つに記載の動物格納ケージ基部。
【００９５】
Ａ５．  ケージ構成要素搭載部材は、ケージ基部の壁の内部表面に接触する、実施形態Ａ１−Ａ４のいずれか１つに記載の動物格納ケージ基部。
【００９６】
Ａ６．  ケージ構成要素搭載部材は、ケージ基部の壁の外部表面に接触する、実施形態Ａ１−Ａ４のいずれか１つに記載の動物格納ケージ基部。
【００９７】
Ａ７．  ケージ構成要素搭載部材は、ケージ基部の壁の内部表面および外部表面に接触する、実施形態Ａ１−Ａ４のいずれか１つに記載の動物格納ケージ基部。
【００９８】
Ａ８．  ケージ構成要素搭載部材は、グロメットである、実施形態Ａ７に記載の動物格納ケージ基部。
【００９９】
Ａ９．  ケージ構成要素搭載部材は、給水管との使用のために構成される、実施形態Ａ８に記載の動物格納ケージ基部。
【０１００】
Ａ９．１．  ケージ構成要素搭載部材は、センサ部材との使用のために構成される、実施形態Ａ８に記載の動物格納ケージ基部。
【０１０１】
Ａ１０．  ケージ構成要素搭載部材は、ケージ基部が入れ子にされるとき、部品に分離され、剪断され、または破砕されるように構成される、実施形態Ａ１−Ａ９．１のいずれか１つに記載の動物格納ケージ基部。
【０１０２】
Ａ１１．  係合されたケージ構成要素またはその一部、または係合されたケージ構成要素搭載部材またはその一部は、ケージ基部から係合解除されたとき、ケージ基部の内部に位置付けられるように構成される、実施形態Ａ１−Ａ１０のいずれか１つに記載の動物格納ケージ基部。
【０１０３】
Ａ１１．１．  係合されたケージ構成要素またはその一部、または係合されたケージ構成要素搭載部材またはその一部は、ケージ基部から係合解除されたとき、ケージ基部の外部に位置付けられるように構成される、実施形態Ａ１−Ａ１０のいずれか１つに記載の動物格納ケージ基部。
【０１０４】
Ａ１１．２．  係合されたケージ構成要素または係合されたケージ構成要素搭載部材の一部は、ケージ基部から係合解除されたとき、ケージ基部の内部に位置付けられるように構成され、係合されたケージ構成要素または係合されたケージ構成要素搭載部材の一部は、ケージ基部から係合解除されたとき、ケージ基部の外部に位置付けられるように構成される、実施形態Ａ１−Ａ１０のいずれか１つに記載の動物格納ケージ基部。
【０１０５】
Ａ１２．  係合されたケージ構成要素またはその一部、または係合されたケージ構成要素搭載部材またはその一部は、ケージ基部から係合解除されたとき、ケージ基部の底部に対して平坦な外形を伴ってケージ基部の内部に位置付けられるように構成される、実施形態Ａ１１またはＡ１１．２に記載の動物ケージ格納基部。
【０１０６】
Ａ１２．１  係合されたケージ構成要素またはその一部、または係合されたケージ構成要素搭載部材またはその一部は、ケージ基部の入れ子時、平坦化されるように構成される、実施形態Ａ１１またはＡ１１．２に記載の動物ケージ格納基部。
【０１０７】
Ａ１３．  ケージ構成要素は、食物トレイ、水ボトルホルダ、水パウチ、水ボトル、カードケージホルダ、シェルタ構造、回し車、ドームおよび回し車、およびそれらの組み合わせのうちの１つ以上から選定される、実施形態Ａ１−Ａ１２．１のいずれか１つに記載の動物格納ケージ基部。
【０１０８】
Ａ１４．  ケージ基部および１つ以上のケージ構成要素は、単回使用である、実施形態Ａ１−Ａ１３のいずれか１つに記載の動物格納ケージ基部。
【０１０９】
Ａ１４．１．  ケージ基部、および１つ以上のケージ構成要素および／または１つ以上のケージ構成要素搭載部材は、同一の再生利用可能材料から作製される、実施形態Ａ１−Ａ１４のいずれか１つに記載の動物格納ケージ基部。
【０１１０】
Ａ１５．  ケージ基部、またはケージ基部およびケージ構成要素は、ポリマーから作製される、実施形態Ａ１−Ａ１４．１．のいずれか１つに記載の動物格納ケージ基部。
【０１１１】
Ａ１６．  ポリマーは、再生利用可能である、実施形態Ａ１５に記載の動物格納ケージ基部。
【０１１２】
Ａ１７．  ポリマーは、ポリエチレンテレフタレートである、実施形態Ａ１６に記載の動物格納ケージ基部。
【０１１３】
Ａ１８．  基部の壁は、約０．０１〜約０．０８インチの実質的に一様な厚さである、実施形態Ａ１−Ａ１７のいずれか１つに記載の動物格納ケージ基部。
【０１１４】
Ａ１９．  基部の壁は、約０．０１〜約０．０３インチの実質的に一様な厚さである、実施形態Ａ１８に記載の動物格納ケージ基部。
【０１１５】
Ａ２０．  壁は、底部に向かって内向きにテーパ化状である、実施形態Ａ１−Ａ１９のいずれか１つに記載の動物格納ケージ基部。
【０１１６】
Ａ２１．  動物格納ケージ基部は、げっ歯類格納ケージ基部である、実施形態Ａ１−Ａ２０のいずれか１つに記載の動物格納ケージ基部。
Ｂ１．  動物格納ケージ基部の組であって、動物格納ケージ基部の組は、
【０１１７】
底部と、１つ以上の壁とを備えている第１のケージ基部であって、壁は、内部表面と、外部表面とを備えている、第１のケージ基部と、
【０１１８】
底部と、１つ以上の壁とを備えている第２のケージ基部であって、
【０１１９】
第１のケージ基部は、第２のケージ基部と入れ子になるために構成され、
【０１２０】
第２のケージ基部は、第１のケージ基部と入れ子になるために構成されている、
第２のケージ基部と、
【０１２１】
第１のケージ基部の一部と係合された１つ以上のケージ構成要素および／または１つ以上のケージ構成要素搭載部材と、
【０１２２】
を備え、１つ以上のケージ構成要素および１つ以上のケージ構成要素搭載部材は、第１のケージ基部と第２のケージ基部とが入れ子にされるとき、第１のケージ基部からの係合解除のために構成されている、
動物格納ケージ基部の組。
【０１２３】
Ｂ２．  入れ子になることは、第１のケージ基部が第２のケージ基部の中に挿入されることを含む、実施形態Ｂ１に記載の動物格納ケージ基部の組。
【０１２４】
Ｂ２．１．  係合解除は、第２のケージ基部の壁の上縁がケージ構成要素および／またはケージ構成要素搭載部材に接触することを含む、実施形態Ｂ２に記載の動物格納ケージ基部の組。
【０１２５】
Ｂ３．  入れ子になることは、第２のケージ基部が第１のケージ基部の中に挿入されることを含む、実施形態Ｂ１に記載の動物格納ケージ基部の組。
【０１２６】
Ｂ３．１．  係合解除は、第１の基部のケージ構成要素および／またはケージ構成要素搭載部材に接触する、第２のケージ基部の底部またはその一部を備えている、実施形態Ｂ３に記載の動物格納ケージ基部の組。
【０１２７】
Ｂ４．  ケージ構成要素のうちの１つ以上は、第１のケージ基部の壁との係合のために構成されたケージ構成要素搭載部材を備えている、実施形態Ｂ１−Ｂ３．１のいずれか１つに記載の動物格納ケージ基部の組。
【０１２８】
Ｂ５．  ケージ構成要素搭載部材は、第１のケージ基部の壁の内部表面に接触する、実施形態Ｂ１−Ｂ４のいずれか１つに記載の動物格納ケージ基部の組。
【０１２９】
Ｂ６．  ケージ構成要素搭載部材は、第１のケージ基部の壁の外部表面に接触する、実施形態Ｂ１−Ｂ４のいずれか１つに記載の動物格納ケージ基部の組。
【０１３０】
Ｂ７．  ケージ構成要素搭載部材は、第１のケージ基部の壁の内部表面および外部表面に接触する、実施形態Ｂ１−Ｂ４のいずれか１つに記載の動物格納ケージ基部の組。
【０１３１】
Ｂ８．  ケージ構成要素搭載部材は、グロメットである、実施形態Ｂ７に記載の動物格納ケージ基部の組。
【０１３２】
Ｂ９．  ケージ構成要素搭載部材は、給水管との使用のために構成される、実施形態Ｂ８に記載の動物格納ケージ基部の組。
【０１３３】
Ｂ９．１．  ケージ構成要素搭載部材は、センサ部材との使用のために構成される、実施形態Ｂ８に記載の動物格納ケージ基部の組。
【０１３４】
Ｂ１０．  ケージ構成要素搭載部材は、第１のケージ基部と第２のケージ基部とが入れ子にされるとき、部品に分離され、剪断され、または破砕されるように構成される、実施形態Ｂ１−Ｂ９．１のいずれか１つに記載の動物格納ケージ基部の組。
【０１３５】
Ｂ１１．  係合されたケージ構成要素またはその一部、または係合されたケージ構成要素搭載部材またはその一部は、第１のケージ基部から係合解除されたとき、第１のケージ基部の内部に位置付けられるように構成される、実施形態Ｂ１−Ｂ１０のいずれか１つに記載の動物格納ケージ基部の組。
【０１３６】
Ｂ１１．１．  係合されたケージ構成要素またはその一部、または係合されたケージ構成要素搭載部材またはその一部は、第１のケージ基部から係合解除されたとき、第１のケージ基部の外部に位置付けられるように構成される、実施形態Ｂ１−Ｂ１０のいずれか１つに記載の動物格納ケージ基部の組。
【０１３７】
Ｂ１１．２．  係合されたケージ構成要素または係合されたケージ構成要素搭載部材の一部は、第１のケージ基部から係合解除されたとき、第１のケージ基部の内部に位置付けられるように構成され、係合されたケージ構成要素または係合されたケージ構成要素搭載部材の一部は、第１のケージ基部から係合解除されたとき、第１のケージ基部の外部に位置付けられるように構成される、実施形態Ｂ１−Ｂ１０のいずれか１つに記載の動物格納ケージ基部の組。
【０１３８】
Ｂ１２．  係合されたケージ構成要素またはその一部、または係合されたケージ構成要素搭載部材またはその一部は、第１のケージ基部から係合解除されたとき、ケージ基部の底部に対して平坦な外形を伴ってケージ基部の内部に位置付けられるように構成される、実施形態Ｂ１１またはＢ１１．２に記載の動物ケージ格納基部の組。
【０１３９】
Ｂ１２．１  係合されたケージ構成要素またはその一部、または係合されたケージ構成要素搭載部材またはその一部は、第１のケージ基部および第２のケージ基部の入れ子時、平坦化されるように構成される、実施形態Ｂ１１またはＢ１１．２に記載の動物ケージ格納基部の組。
【０１４０】
Ｂ１３．  ケージ構成要素は、食物トレイ、水ボトルホルダ、水パウチ、水ボトル、カードケージホルダ、シェルタ構造、回し車、ドームおよび回し車、およびそれらの組み合わせのうちの１つ以上から選定される、実施形態Ｂ１−Ｂ１２．１のいずれか１つに記載の動物格納ケージ基部の組。
【０１４１】
Ｂ１４．  ケージ基部および１つ以上のケージ構成要素は、単回使用である、実施形態Ｂ１−Ｂ１３のいずれか１つに記載の動物格納ケージ基部の組。
【０１４２】
Ｂ１４．１．  第１および第２のケージ基部、および１つ以上のケージ構成要素および／または１つ以上のケージ構成要素搭載部材は、同一の再生利用可能材料から作製される、実施形態Ｂ１−Ｂ１４のいずれか１つに記載の動物格納ケージ基部の組。
【０１４３】
Ｂ１５．  ケージ基部、またはケージ基部およびケージ構成要素は、ポリマーから作製される、実施形態Ｂ１−Ｂ１４．１のいずれか１つに記載の動物格納ケージ基部の組。
【０１４４】
Ｂ１６．  ポリマーは、再生利用可能である、実施形態Ｂ１５に記載の動物格納ケージ基部の組。
【０１４５】
Ｂ１７．  ポリマーは、ポリエチレンテレフタレートである、実施形態Ｂ１６に記載の動物格納ケージ基部の組。
【０１４６】
Ｂ１８．  基部の壁は、約０．０１〜約０．０８インチの実質的に一様な厚さである、実施形態Ｂ１−Ｂ１７のいずれか１つに記載の動物格納ケージ基部の組。
【０１４７】
Ｂ１９．  基部の壁は、約０．０１〜約０．０３インチの実質的に一様な厚さである、実施形態Ｂ１８に記載の動物格納ケージ基部の組。
【０１４８】
Ｂ２０．  基部の壁は、底部に向かって内向きにテーパ化状である、実施形態Ｂ１−Ｂ１９のいずれか１つに記載の動物格納ケージ基部の組。
【０１４９】
Ｂ２１．  動物格納ケージ基部は、げっ歯類格納ケージ基部である、実施形態Ｂ１−Ｂ２０のいずれか１つに記載の動物格納ケージ基部の組。
【０１５０】
Ｂ２２．  入れ子は、７５％以上である、実施形態Ｂ１−Ｂ２０のいずれか１つに記載の動物格納ケージ基部の組。
【０１５１】
Ｂ２３．  入れ子は、８０％以上である、実施形態Ｂ１−Ｂ２１のいずれか１つに記載の動物格納ケージ基部の組。
【０１５２】
Ｂ２４．  入れ子は、８５％以上である、実施形態Ｂ１−Ｂ２１のいずれか１つに記載の動物格納ケージ基部の組。
【０１５３】
Ｂ２５．  入れ子は、９０％以上である、実施形態Ｂ１−Ｂ２１のいずれか１つに記載の動物格納ケージ基部の組。
【０１５４】
Ｂ２６．  入れ子は、９５％以上である、実施形態Ｂ１−Ｂ２１のいずれか１つに記載の動物格納ケージ基部の組。
【０１５５】
Ｃ１．  動物格納ケージ基部から１つ以上のケージ構成要素および／またはケージ構成要素搭載部材を係合解除する方法であって、
【０１５６】
底部と、１つ以上の壁と、１つ以上のケージ構成要素および／または１つ以上のケージ構成要素搭載部材とを備えている第１のケージ基部を、底部と、１つ以上の壁とを備えている第２のケージ基部と入れ子にするステップであって、それによって、１つ以上のケージ構成要素および／または１つ以上のケージ構成要素搭載部材は、第１のケージ基部から係合解除される、ステップを含む、
方法。
【０１５７】
Ｃ２．  ケージ構成要素は、食物トレイ、水ボトルホルダ、水パウチ、水ボトル、カードケージホルダ、シェルタ構造、回し車、ドームおよび回し車、およびそれらの組み合わせのうちの１つ以上から選定される、実施形態Ｃ１に記載の方法。
【０１５８】
Ｃ３．  第２のケージ基部と入れ子になることは、第１のケージ基部が第２のケージ基部の中に挿入されることを含む、実施形態Ｃ１またはＣ２に記載の方法。
【０１５９】
Ｃ４．  第１のケージ基部からの係合解除は、第２のケージ基部の壁の上縁が第１のケージ基部のケージ構成要素またはケージ構成要素搭載部材に接触することを含む、実施形態Ｃ３に記載の方法。
【０１６０】
Ｃ５．  第２のケージ基部と入れ子になることは、第２のケージ基部が第１のケージ基部の中に挿入されることを含む、実施形態Ｃ１またはＣ２に記載の方法。
【０１６１】
Ｃ６．  係合解除は、第２のケージ基部の底部またはその一部が第１のケージ基部のケージ構成要素またはケージ構成要素搭載部材に接触することを含む、実施形態Ｃ５に記載の方法。
【０１６２】
Ｃ７．  ケージ構成要素のうちの１つ以上は、第１のケージ基部の壁との係合のためのケージ構成要素搭載部材を備えている、実施形態Ｃ１−Ｃ６のいずれか１つに記載の方法。
【０１６３】
Ｃ７．１．  ケージ構成要素搭載部材は、第１のケージ基部の壁の内部表面に接触する、実施形態Ｃ７に記載の方法。
【０１６４】
Ｃ７．２．  ケージ構成要素搭載部材は、第１のケージ基部の壁の外部表面に接触する、実施形態Ｃ７に記載の方法。
【０１６５】
Ｃ８．  ケージ構成要素搭載部材は、第１のケージ基部の壁の内部表面および外部表面に接触する、実施形態Ｃ７に記載の方法。
【０１６６】
Ｃ９．  ケージ構成要素搭載部材は、グロメットである、実施形態Ｃ８に記載の方法。
【０１６７】
Ｃ１０．  ケージ構成要素搭載部材は、給水管との使用のために構成される、実施形態Ｃ９に記載の方法。
【０１６８】
Ｃ１１．  ケージ構成要素搭載部材は、センサ部材との使用のために構成される、実施形態Ｃ９に記載の方法。
【０１６９】
Ｃ１２．  ケージ構成要素搭載部材は、第１のケージ基部と第２のケージ基部とが入れ子にされるとき、部品に分離され、剪断され、または破砕されるように構成される、実施形態Ｃ７−Ｃ１１のいずれか１つに記載の方法。
【０１７０】
Ｃ１３．  係合解除されたケージ構成要素またはその一部、または係合解除されたケージ構成要素搭載部材またはその一部は、第１のケージ基部の内部にある、実施形態Ｃ１−Ｃ６のいずれか１つに記載の方法。
【０１７１】
Ｃ１４．  係合解除されたケージ構成要素またはその一部、または係合解除されたケージ構成要素搭載部材またはその一部は、第１のケージ基部の外部にある、実施形態Ｃ１−Ｃ６のいずれか１つに記載の方法。
【０１７２】
Ｃ１５．  係合解除されたケージ構成要素または係合解除されたケージ構成要素搭載部材の一部は、第１のケージ基部の内部にあり、係合解除されたケージ構成要素または係合解除されたケージ構成要素搭載部材の一部は、第１のケージ基部の外部にある、実施形態Ｃ１−Ｃ６のいずれか１つに記載の方法。
【０１７３】
Ｃ１６．  第１のケージ基部の内部の係合解除されたケージ構成要素またはその一部、またはケージ構成要素搭載部材またはその一部は、第１のケージ基部の底部に対して平坦であるように向けられる、実施形態Ｃ１３またはＣ１５に記載の方法。
【０１７４】
Ｃ１６．１．  係合されたケージ構成要素またはその一部、または係合されたケージ構成要素搭載部材またはその一部は、第１のケージ基部および第２のケージ基部の入れ子時、平坦化される、実施形態Ｃ１３またはＣ１５に記載の方法。
【０１７５】
Ｃ１６．２．  第１のケージ基部の外部の係合解除されたケージ構成要素またはその一部、またはケージ構成要素搭載部材またはその一部は、再利用のために収集される、実施形態Ｃ１４またはＣ１５に記載の方法。
【０１７６】
Ｃ１７．  第１および第２の入れ子にされたケージ基部、および１つ以上のケージ構成要素または１つ以上のケージ構成要素搭載部材は、廃棄される、実施形態Ｃ１−Ｃ１６のいずれか１つに記載の方法。
【０１７７】
Ｃ１８．  第１および第２の入れ子にされたケージ基部、および１つ以上のケージ構成要素は、単回使用である、実施形態Ｃ１−Ｃ１６．１のいずれか１つに記載の方法。
【０１７８】
Ｃ１９．  ケージ基部、ケージ構成要素、および／またはケージ構成要素搭載部材は、ポリマーから作製される、実施形態Ｃ１−Ｃ１８のいずれか１つに記載の方法。
【０１７９】
Ｃ２０．  ポリマーは、再生利用可能である、実施形態Ｃ１９に記載の方法。
【０１８０】
Ｃ２０．１．  ケージ基部、ケージ構成要素、および／またはケージ構成要素搭載部材は、同一の再生利用可能ポリマーから作製される、実施形態Ｃ２０に記載の方法。
【０１８１】
Ｃ２１．  ポリマーは、ポリエチレンテレフタレートである、実施形態Ｃ２０またはＣ２０．１に記載の方法。
【０１８２】
Ｃ２１．  第１および第２の入れ子にされたケージ基部、１つ以上のケージ構成要素、および／または１つ以上のケージ構成要素搭載部材は、再生利用されるべき状態である、実施形態Ｃ１−Ｃ１６．２およびＣ１８−Ｃ２１いずれか１つに記載の方法。
【０１８３】
Ｃ２２．  基部の壁は、約０．０１〜約０．０８インチの実質的に一様な厚さである、実施形態Ｃ１−Ｃ２１のいずれか１つに記載の方法。
【０１８４】
Ｃ２３．  基部の壁は、約０．０１〜約０．０３インチの実質的に一様な厚さである、実施形態Ｃ２２に記載の方法。
【０１８５】
Ｃ２４．  入れ子は、７５％以上である、実施形態Ｃ１−Ｃ２３のいずれか１つに記載の方法。
【０１８６】
Ｃ２５．  入れ子は、８０％以上である、実施形態Ｃ１−Ｃ２３のいずれか１つに記載の方法。
【０１８７】
Ｃ２６．  入れ子は、８５％以上である、実施形態Ｃ１−Ｃ２３のいずれか１つに記載の方法。
【０１８８】
Ｃ２７．  入れ子は、９０％以上である、実施形態Ｃ１−Ｃ２３のいずれか１つに記載の方法。
【０１８９】
Ｃ２８．  入れ子は、９５％以上である、実施形態Ｃ１−Ｃ２３のいずれか１つに記載の方法。
【０１９０】
Ｃ２９．  壁は、底部に向かって内向きにテーパ化状である、実施形態Ｃ１−Ｃ２８のいずれか１つに記載の方法。
【０１９１】
Ｃ３０．  動物格納ケージ基部は、げっ歯類格納ケージ基部である、実施形態Ｃ１−Ｃ２９のいずれか１つに記載の方法。
Ｄ１．  動物格納ケージカバーであって、
【０１９２】
内部表面と外部表面とを備えている平面領域と、カバーの周辺の周囲に延びているフランジ領域とであって、
【０１９３】
ケージカバーは、別のケージカバーと入れ子になるために構成されている、平面領域およびフランジ領域と、
【０１９４】
ケージカバーの平面領域の一部と係合された１つ以上のケージ構成要素および／または１つ以上のケージ構成要素搭載部材と、
【０１９５】
を備え、ケージ構成要素およびケージ構成要素搭載部材は、ケージカバーが入れ子にされるとき、ケージカバーからの係合解除のために構成されている、
動物格納ケージカバー。
【０１９６】
Ｄ２．  入れ子は、別のケージカバーの中に挿入されるケージカバーを備えている、実施形態Ｄ１に記載の動物格納ケージカバー。
【０１９７】
Ｄ３．  入れ子は、ケージカバーの中に挿入される別のケージカバーを備えている、実施形態Ｄ１に記載の動物格納ケージカバー。
【０１９８】
Ｄ４．  ケージ構成要素のうちの１つ以上は、ケージカバーとの係合のために構成されたケージ構成要素搭載部材を備えている、実施形態Ｄ１−Ｄ３のいずれか１つに記載の動物格納ケージカバー。
【０１９９】
Ｄ５．  ケージ構成要素搭載部材は、ケージカバーの平面領域の内部表面に接触する、実施形態Ｄ４に記載の動物格納ケージカバー。
【０２００】
Ｄ６．  ケージ構成要素搭載部材は、ケージカバーの平面領域の外部表面に接触する、実施形態Ｄ４に記載の動物格納ケージカバー。
【０２０１】
Ｄ７．  ケージ構成要素搭載部材は、ケージカバーの平面領域の内部表面および外部表面に接触する、実施形態Ｄ４に記載の動物格納ケージカバー。
【０２０２】
Ｄ８．  ケージ構成要素搭載部材は、グロメットである、実施形態Ｄ７に記載の動物格納ケージカバー。
【０２０３】
Ｄ９．  ケージ構成要素搭載部材は、給水管との使用のために構成される、実施形態Ｄ８に記載の動物格納ケージカバー。
【０２０４】
Ｄ９．１．  ケージ構成要素搭載部材は、センサ部材との使用のために構成される、実施形態Ｄ８に記載の動物格納ケージカバー。
【０２０５】
Ｄ１０．  ケージ構成要素搭載部材は、ケージ基部が入れ子にされるとき、部品に分離され、剪断され、または破砕されるように構成される、実施形態Ｄ４−Ｄ９．１のいずれか１つに記載の動物格納ケージカバー。
【０２０６】
Ｄ１１．  係合されたケージ構成要素またはその一部、または係合されたケージ構成要素搭載部材またはその一部は、ケージカバーから係合解除されたとき、ケージカバーと接触したままであるように構成される、実施形態Ｄ１−Ｄ３のいずれか１つに記載の動物格納ケージカバー。
【０２０７】
Ｄ１１．１．  係合されたケージ構成要素またはその一部、または係合されたケージ構成要素搭載部材またはその一部は、ケージカバーから係合解除されたとき、ケージカバーから分離されているように構成される、実施形態Ｄ１−Ｄ３のいずれか１つに記載の動物格納ケージカバー。
【０２０８】
Ｄ１１．２．  係合されたケージ構成要素または係合されたケージ構成要素搭載部材の一部は、ケージカバーから係合解除されたとき、ケージカバーと接触したままであるように構成され、係合されたケージ構成要素または係合されたケージ構成要素搭載部材の一部は、ケージカバーから係合解除されたとき、ケージカバーから分離されているように構成される、実施形態Ｄ１−Ｄ３のいずれか１つに記載の動物格納ケージカバー。
【０２０９】
Ｄ１２．  係合されたケージ構成要素またはその一部、または係合されたケージ構成要素搭載部材またはその一部は、ケージカバーから係合解除されたとき、ケージカバーの平面領域に対して平坦な外形を伴ってケージカバーと接触したままであるように構成される、実施形態Ｄ１１またはＤ１１．２に記載の動物ケージ格納カバー。
【０２１０】
Ｄ１２．１  係合されたケージ構成要素またはその一部、または係合されたケージ構成要素搭載部材またはその一部は、ケージカバーの入れ子時、平坦化されるように構成される、実施形態Ｄ１１−Ｄ．１１．２のいずれか１つに記載の動物ケージ格納基部。
【０２１１】
Ｄ１３．  ケージ構成要素は、食物トレイ、水ボトルホルダ、水パウチ、水ボトル、カードケージホルダ、シェルタ構造、回し車、ドームおよび回し車、およびそれらの組み合わせのうちの１つ以上から選定される、実施形態Ｄ１−Ｄ１２．１のいずれか１つに記載の動物格納ケージカバー。
【０２１２】
Ｄ１４．  ケージカバーおよび１つ以上のケージ構成要素は、単回使用である、実施形態Ｄ１−Ｄ１３のいずれか１つに記載の動物格納ケージカバー。
【０２１３】
Ｄ１４．１．  ケージカバー、および１つ以上のケージ構成要素および／または１つ以上のケージ構成要素搭載部材は、同一の再生利用可能材料から作製される、実施形態Ｄ１−Ｄ１４のいずれか１つに記載の動物格納ケージカバー。
【０２１４】
Ｄ１５．  ケージカバー、またはケージカバーおよびケージ構成要素は、ポリマーから作製される、実施形態Ｄ１−Ｄ１４．１のいずれか１つに記載の動物格納ケージカバー。
【０２１５】
Ｄ１６．  ポリマーは、再生利用可能である、実施形態Ｄ１５に記載の動物格納ケージカバー。
【０２１６】
Ｄ１７．  ポリマーは、ポリエチレンテレフタレートである、実施形態Ｄ１６に記載の動物格納ケージカバー。
【０２１７】
Ｄ１８．  カバーは、約０．０１〜約０．０８インチの実質的に一様な厚さである、実施形態Ｄ１−Ｄ１７のいずれか１つに記載の動物格納ケージカバー。
【０２１８】
Ｄ１９．  カバーは、約０．０１〜約０．０３インチの実質的に一様な厚さである、実施形態Ｄ１８に記載の動物格納ケージカバー。
【０２１９】
Ｄ２０．  動物格納ケージカバーは、げっ歯類動物格納ケージカバーである、実施形態Ｄ１−Ｄ１９のいずれか１つに記載の動物格納ケージカバー。
Ｅ１．  動物格納ケージカバーの組であって、
【０２２０】
内部表面と外部表面とを備えている平面領域と、カバーの周辺の周囲に延びているフランジ領域とを備えている第１のケージカバーと、
【０２２１】
内部表面と外部表面とを備えている平面領域と、カバーの周辺の周囲に延びているフランジ領域とを備えている第２のケージカバーであって、
【０２２２】
第１のケージカバーは、第２のケージカバーと入れ子になるために構成され、
【０２２３】
第２のケージカバーは、第１のケージカバーと入れ子になるために構成されている、
第２のケージカバーと、
【０２２４】
第１のケージカバーの一部と係合された１つ以上のケージ構成要素および／または１つ以上のケージ構成要素搭載部材と、
【０２２５】
を備え、ケージ構成要素およびケージ構成要素搭載部材は、第１のケージカバーおよび第２のケージカバーが入れ子にされるとき、第１のケージカバーからの係合解除のために構成されている、
動物格納ケージカバーの組。
【０２２６】
Ｅ２．  入れ子は、第２のケージカバーの中に挿入される第１のケージカバーを備えている、実施形態Ｅ１に記載の動物格納ケージカバーの組。
【０２２７】
Ｅ２．１．  係合解除は、第１のケージカバーのケージ構成要素および／またはケージ構成要素搭載部材に接触する、第２のケージカバーのフランジ領域またはその一部、および／または平面領域の外部表面またはその一部を備えている、実施形態Ｅ２に記載の動物格納ケージカバーの組。
【０２２８】
Ｅ３．  入れ子は、第１のケージカバーの中に挿入される第２のケージカバーを備えている、実施形態Ｅ１に記載の動物格納ケージカバーの組。
【０２２９】
Ｅ３．１．  係合解除は、第１のケージカバーのケージ構成要素および／またはケージ構成要素搭載部材に接触する、第２のケージカバーのフランジ領域またはその一部、および／または平面領域の内部表面またはその一部を備えている、実施形態Ｅ３に記載の動物格納ケージカバーの組。
【０２３０】
Ｅ４．  ケージ構成要素のうちの１つ以上は、第１のケージカバーとの係合のために構成されたケージ構成要素搭載部材を備えている、実施形態Ｅ１−Ｅ３．１のいずれか１つに記載の動物格納ケージカバーの組。
【０２３１】
Ｅ５．  ケージ構成要素搭載部材は、第１のケージカバーの平面領域の内部表面に接触する、実施形態Ｅ４に記載の動物格納ケージカバーの組。
【０２３２】
Ｅ６．  ケージ構成要素搭載部材は、第１のケージカバーの平面領域の外部表面に接触する、実施形態Ｅ４に記載の動物格納ケージカバーの組。
【０２３３】
Ｅ７．  ケージ構成要素搭載部材は、第１のケージカバーの内部表面および外部表面に接触する、実施形態Ｅ４に記載の動物格納ケージカバーの組。
【０２３４】
Ｅ８．  ケージ構成要素搭載部材は、グロメットである、実施形態Ｅ７に記載の動物格納ケージカバーの組。
【０２３５】
Ｅ９．  ケージ構成要素搭載部材は、給水管との使用のために構成される、実施形態Ｅ８に記載の動物格納ケージカバーの組。
【０２３６】
Ｅ９．１．  ケージ構成要素搭載部材は、センサ部材との使用のために構成される、実施形態Ｅ８に記載の動物格納ケージカバーの組。
【０２３７】
Ｅ１０．  ケージ構成要素搭載部材は、第１のケージカバーおよび第２のケージカバーが入れ子にされるとき、部品に分離され、剪断され、または破砕されるように構成される、実施形態Ｅ４−Ｅ９．１のいずれか１つに記載の動物格納ケージカバーの組。
【０２３８】
Ｅ１１．  係合されたケージ構成要素またはその一部、または係合されたケージ構成要素搭載部材またはその一部は、第１のケージカバーから係合解除されたとき、第１のケージカバーと第２のケージカバーとの間に位置付けられるように構成される、実施形態Ｅ１−Ｅ３．１のいずれか１つに記載の動物格納ケージカバーの組。
【０２３９】
Ｅ１１．１．  係合されたケージ構成要素またはその一部、または係合されたケージ構成要素搭載部材またはその一部は、第１のケージカバーから係合解除されたとき、第１のケージカバーの外部に位置付けられているか、またはそれから分離しているように構成される、実施形態Ｅ１−Ｅ３．１のいずれか１つに記載の動物格納ケージカバーの組。
【０２４０】
Ｅ１１．２．  係合されたケージ構成要素または係合されたケージ構成要素搭載部材の一部は、第１のケージカバーから係合解除されたとき、第１のケージカバーと第２のケージカバーとの間に位置付けられるように構成され、係合されたケージ構成要素または係合されたケージ構成要素搭載部材の一部は、第１のケージカバーから係合解除されたとき、第１のケージカバーの外部に位置付けられているか、またはそれから分離しているように構成される、実施形態Ｅ１−Ｅ３．１のいずれか１つに記載の動物格納ケージカバーの組。
【０２４１】
Ｅ１２．  係合されたケージ構成要素またはその一部、または係合されたケージ構成要素搭載部材またはその一部は、第１のケージカバーから係合解除されたとき、第１のケージカバーの平面領域に対して平坦な外形を伴って第１のケージカバーと第２のケージカバーとの間に位置付けられるように構成される、実施形態Ｅ１１またはＥ１１．２に記載の動物ケージ格納カバーの組。
【０２４２】
Ｅ１２．１．  係合されたケージ構成要素またはその一部、または係合されたケージ構成要素搭載部材またはその一部は、第１のケージカバーと第２のケージカバーとの入れ子時、平坦化されるように構成される、実施形態Ｅ１１またはＥ１１．２に記載の動物ケージ格納基部。
【０２４３】
Ｅ１３．  ケージ構成要素は、食物トレイ、水ボトルホルダ、水パウチ、水ボトル、カードケージホルダ、シェルタ構造、回し車、ドームおよび回し車、およびそれらの組み合わせのうちの１つ以上から選定される、実施形態Ｅ１−Ｅ１２．１のいずれか１つに記載の動物格納ケージカバーの組。
【０２４４】
Ｅ１４．  ケージカバーおよび１つ以上のケージ構成要素は、単回使用である、実施形態Ｅ１−Ｅ１３のいずれか１つに記載の動物格納ケージカバーの組。
【０２４５】
Ｅ１４．１．  ケージカバー、および１つ以上のケージ構成要素および／または１つ以上のケージ構成要素搭載部材は、同一の再生利用可能材料から作製される、実施形態Ｅ１−Ｅ１４のいずれか１つに記載の動物格納ケージカバーの組。
【０２４６】
Ｅ１５．  ケージカバー、またはケージカバーおよびケージ構成要素は、ポリマーから作製される、実施形態Ｅ１−Ｅ１４．１のいずれか１つに記載の動物格納ケージカバーの組。
【０２４７】
Ｅ１６．  ポリマーは、再生利用可能である、実施形態Ｅ１５に記載の動物格納ケージカバーの組。
【０２４８】
Ｅ１７．  ポリマーは、ポリエチレンテレフタレートである、実施形態Ｅ１６に記載の動物格納ケージカバーの組。
【０２４９】
Ｅ１８．  ケージカバーは、約０．０１〜約０．０８インチの実質的に一様な厚さである、実施形態Ｅ１−Ｅ１７のいずれか１つに記載の動物格納ケージカバーの組。
【０２５０】
Ｅ１９．  ケージカバーは、約０．０１〜約０．０３インチの実質的に一様な厚さである、実施形態Ｅ１８に記載の動物格納ケージカバーの組。
【０２５１】
Ｅ２０．  動物は、げっ歯類である、実施形態Ｅ１−Ｅ１９のいずれか１つに記載の動物格納ケージカバーの組。
【０２５２】
Ｅ２１．  入れ子は、７０％以上である、実施形態Ｅ１−Ｅ２０のいずれか１つに記載の動物格納ケージカバーの組。
【０２５３】
Ｅ２２．  入れ子は、８０％以上である、実施形態Ｅ１−Ｅ２０のいずれか１つに記載の動物格納ケージカバーの組。
【０２５４】
Ｅ２３．  入れ子は、８５％以上である、実施形態Ｅ１−Ｅ２０のいずれか１つに記載の動物格納ケージカバーの組。
【０２５５】
Ｅ２４．  入れ子は、９０％以上である、実施形態Ｅ１−Ｅ２０のいずれか１つに記載の動物格納ケージカバーの組。
【０２５６】
Ｅ２５．  入れ子は、９５％以上である、実施形態Ｅ１−Ｅ２０のいずれか１つに記載の動物格納ケージカバーの組。
【０２５７】
Ｅ２６．  動物格納ケージカバーは、げっ歯類格納ケージカバーである、実施形態Ｅ１−Ｅ２５のいずれか１つに記載の動物格納ケージカバーの組。
【０２５８】
Ｆ１．  動物格納ケージカバーから１つ以上のケージ構成要素および／またはケージ構成要素搭載部材を係合解除する方法であって、
【０２５９】
内部表面と外部表面とを備えている平面領域と、カバーの周辺の周囲に延びているフランジ領域とを備えている第１のケージカバー、ならびに第１のケージカバーの一部と係合される１つ以上のケージ構成要素および／または１つ以上のケージ構成要素搭載部材を、内部表面と外部表面とを備えている平面領域と、カバーの周辺の周囲に延びているフランジ領域とを備えている第２のケージカバーと入れ子にするステップであって、それによって、１つ以上のケージ構成要素および／または１つ以上のケージ構成要素搭載部材は、第１のケージカバーから係合解除される、ステップを含む、
方法。
【０２６０】
Ｆ２．  ケージ構成要素は、食物トレイ、水ボトルホルダ、水パウチ、水ボトル、カードケージホルダ、シェルタ構造、回し車、ドームおよび回し車、およびそれらの組み合わせのうちの１つ以上から選定される、実施形態Ｆ１に記載の方法。
【０２６１】
Ｆ３．  第２のケージカバーと入れ子にすることは、第２のケージカバーの中に挿入される第１のケージカバーを備えている、実施形態Ｆ１またはＦ２に記載の方法。
【０２６２】
Ｆ４．  第１のケージカバーからの係合解除は、第１のケージカバーのケージ構成要素および／またはケージ構成要素搭載部材に接触する、第２のケージカバーのフランジ領域またはその一部、および／または平面領域の外部表面またはその一部を備えている、実施形態Ｆ３に記載の方法。
【０２６３】
Ｆ５．  第２のケージカバーと入れ子にすることは、第１のケージカバーの中に挿入される第２のケージカバーを備えている、実施形態Ｆ１またはＦ２に記載の方法。
【０２６４】
Ｆ６．  係合解除は、第１のケージカバーのケージ構成要素および／またはケージ構成要素搭載部材に接触する、第２のケージカバーのフランジ領域またはその一部、および／または平面領域の内部表面またはその一部を備えている、実施形態Ｆ５に記載の方法。
【０２６５】
Ｆ７．  ケージ構成要素のうちの１つ以上は、第１のケージカバーの平面領域との係合のためのケージ構成要素搭載部材を備えている、実施形態Ｆ１−Ｆ６のいずれか１つに記載の方法。
【０２６６】
Ｆ７．１．  ケージ構成要素搭載部材は、第１のケージカバーの平面領域の内部表面に接触する、実施形態Ｆ７に記載の方法。
【０２６７】
Ｆ７．２．  ケージ構成要素搭載部材は、第１のケージカバーの平面領域の外部表面に接触する、実施形態Ｆ７に記載の方法。
【０２６８】
Ｆ８．  ケージ構成要素搭載部材は、第１のケージカバーの平面領域の内部表面および外部表面に接触する、実施形態Ｆ７に記載の方法。
【０２６９】
Ｆ９．  ケージ構成要素搭載部材は、グロメットである、実施形態Ｆ８に記載の方法。
【０２７０】
Ｆ１０．  ケージ構成要素搭載部材は、給水管との使用のために構成される、実施形態Ｆ９に記載の方法。
【０２７１】
Ｆ１１．  ケージ構成要素搭載部材は、センサ部材との使用のために構成される、実施形態Ｆ９に記載の方法。
【０２７２】
Ｆ１２．  ケージ構成要素搭載部材は、第１のケージカバーおよび第２のケージカバーが入れ子にされるとき、部品に分離され、剪断され、または破砕されるように構成される、実施形態Ｆ７−Ｆ１１のいずれか１つに記載の方法。
【０２７３】
Ｆ１３．  係合されたケージ構成要素またはその一部、または係合されたケージ構成要素搭載部材またはその一部は、第１のケージカバーから係合解除されたとき、第１のケージカバーと第２のケージカバーとの間に位置付けられるように構成される、実施形態Ｆ１−Ｆ６のいずれか１つに記載の方法。
【０２７４】
Ｆ１４．  係合されたケージ構成要素またはその一部、または係合されたケージ構成要素搭載部材またはその一部は、第１のケージカバーから係合解除されたとき、第１のケージカバーから分離して位置付けられるように構成される、実施形態Ｆ１−Ｆ６のいずれか１つに記載の方法。
【０２７５】
Ｆ１５．  係合されたケージ構成要素または係合されたケージ構成要素搭載部材の一部は、第１のケージカバーから係合解除されたとき、第１のケージカバーと第２のケージカバーとの間に位置付けられるように構成され、係合されたケージ構成要素または係合されたケージ構成要素搭載部材の一部は、第１のケージカバーから係合解除されたとき、第１のケージカバーの外部に位置付けられているか、またはそれから分離しているように構成される、実施形態Ｆ１−Ｆ６のいずれか１つに記載の方法。
【０２７６】
Ｆ１６．  第１のケージカバーと第２のケージカバーとの間の係合解除されたケージ構成要素またはその一部、またはケージ構成要素搭載部材またはその一部は、第１のケージカバーの平面領域に対して平坦な外形を有するように向けられる、実施形態Ｆ１３またはＦ１５に記載の方法。
【０２７７】
Ｆ１６．１．  係合されたケージ構成要素またはその一部、または係合されたケージ構成要素搭載部材またはその一部は、第１のケージカバーと第２のケージカバーとの入れ子時、平坦化される、実施形態Ｆ１３またはＦ１５に記載の方法。
【０２７８】
Ｆ１６．２．  第１のケージカバーの外部にあるか、またはそれから分離している係合解除されたケージ構成要素またはその一部、または係合解除されたケージ構成要素搭載部材またはその一部は、再利用のために収集される、実施形態Ｆ１４またはＦ１５に記載の方法。
【０２７９】
Ｆ１７．  第１および第２の入れ子にされたケージカバー、および１つ以上のケージ構成要素または１つ以上のケージ構成要素搭載部材は、廃棄される、実施形態Ｆ１−Ｆ１６．１のいずれか１つに記載の方法。
【０２８０】
Ｆ１８．  第１および第２の入れ子にされたケージカバー、および１つ以上のケージ構成要素は、単回使用である、実施形態Ｆ１−Ｆ１６．１およびＦ１７のいずれか１つに記載の方法。
【０２８１】
Ｆ１９．  ケージカバー、ケージ構成要素、およびケージ構成要素搭載部材は、ポリマーから作製される、実施形態Ｆ１−Ｆ１８のいずれか１つに記載の方法。
【０２８２】
Ｆ２０．  ポリマーは、再生利用可能である、実施形態Ｆ１９に記載の方法。
【０２８３】
Ｆ２０．１．  ケージカバー、ケージ構成要素、およびケージ構成要素搭載部材は、同一の再生利用可能ポリマーから作製される、実施形態Ｆ２０に記載の方法。
【０２８４】
Ｆ２１．  ポリマーは、ポリエチレンテレフタレートである、実施形態Ｆ２０またはＦ２０．１に記載の方法。
【０２８５】
Ｆ２１．１．  第１および第２の入れ子にされたケージカバー、１つ以上のケージ構成要素、および／または１つ以上のケージ構成要素搭載部材は、再生利用されるべき状態である、実施形態Ｆ１−Ｆ１６．２およびＦ１８−Ｆ２１いずれか１つに記載の方法。
【０２８６】
Ｆ２２．  カバーの壁は、約０．０１〜約０．０８インチの実質的に一様な厚さである、実施形態Ｆ１−Ｆ２１．１のいずれか１つに記載の方法。
【０２８７】
Ｆ２３．  カバーの壁は、約０．０１〜約０．０３インチの実質的に一様な厚さである、実施形態Ｆ２２に記載の方法。
【０２８８】
Ｆ２４．  入れ子は、７５％以上である、実施形態Ｆ１−Ｆ２３のいずれか１つに記載の方法。
【０２８９】
Ｆ２５．  入れ子は、８０％以上である、実施形態Ｆ１−Ｆ２３のいずれか１つに記載の方法。
【０２９０】
Ｆ２６．  入れ子は、８５％以上である、実施形態Ｆ１−Ｆ２３のいずれか１つに記載の方法。
【０２９１】
Ｆ２７．  入れ子は、９０％以上である、実施形態Ｆ１−Ｆ２３のいずれか１つに記載の方法。
【０２９２】
Ｆ２８．  入れ子は、９５％以上である、実施形態Ｆ１−Ｆ２３のいずれか１つに記載の方法。
【０２９３】
Ｆ２９．  壁は、底部に向かって内向きにテーパ化状である、実施形態Ｆ１−Ｆ２８のいずれか１つに記載の方法。
【０２９４】
Ｆ３０．  動物格納ケージカバーは、げっ歯類格納ケージカバーである、実施形態Ｆ１−Ｆ２９のいずれか１つに記載の方法。
Ｇ１．  取り外し可能な動物格納ケージ構成要素グロメットであって、
【０２９５】
ケージ構成要素の挿入のための開口を備えている内部部材と、
開口へのアクセスを可能にするためのスライドドアを備えている外部部材と、
【０２９６】
を備え、内部部材および外部部材は、係合のために、かつ係合解除のために構成されている、
取り外し可能な動物格納ケージ構成要素グロメット。
【０２９７】
Ｇ２．  内部部材と外部部材とは、係合され、グロメットは、動物格納ケージ基部の壁に取り付けられている、実施形態Ｇ１に記載の動物格納ケージ構成要素グロメット。
【０２９８】
Ｇ３．  内部部材に対する外部部材の上向きの偏向は、内部部材からの外部部材の係合解除およびケージ基部壁からのグロメットの取り外しをもたらす、実施形態Ｇ２に記載の動物格納ケージ構成要素グロメット。
【０２９９】
Ｇ４．  内部部材は、壁の内部表面に接触し、外部部材は、壁の外部表面に接触する、実施形態Ｇ２またはＧ３に記載の動物格納ケージ構成要素グロメット。
【０３００】
Ｇ５．  内部部材は、オス型スライド部材を備え、外部部材は、メス型スライド部材を備えている、実施形態Ｇ１−Ｇ４のいずれか１つに記載の動物格納ケージ構成要素グロメット。
【０３０１】
Ｇ６．  係合は、オス型スライド部材に対するメス型スライド部材の下向きの移動を含む、実施形態Ｇ５に記載の動物格納ケージ構成要素グロメット。
【０３０２】
Ｇ７．  係合解除は、オス型スライド部材に対するメス型スライド部材の上向きの移動を含む、実施形態Ｇ５に記載の動物格納ケージ構成要素グロメット。
【０３０３】
Ｇ８．  ケージ構成要素は、給水管である、実施形態Ｇ１−Ｇ７のいずれか１つに記載の動物格納ケージ構成要素グロメット。
【０３０４】
Ｇ９．  スライドドアは、傾斜表面を備え、スライドドアは、傾斜表面が給水管によって接触されるときに開放するように、かつ給水管と接触していないときに閉鎖するように構成される、実施形態Ｇ８に記載の動物格納ケージ構成要素グロメット。
【０３０５】
Ｇ１０．  内部部材および外部部材は、再生利用可能プラスチックから作製される、実施形態Ｇ１−Ｇ９のいずれか１つに記載の動物格納ケージ構成要素グロメット。
Ｈ１．  動物格納ケージから動物格納ケージ構成要素グロメットを取り外す方法であって、
【０３０６】
動物格納ケージ構成要素グロメットを備えている第１のケージ基部を、底部と、１つ以上の壁とを備えている第２のケージ基部と入れ子にするステップであって、それによって、動物格納ケージ構成要素グロメットは、第１のケージ基部から取り外される、ステップを含む、
方法。
【０３０７】
Ｈ２．  第１のケージ基部を第２のケージ基部と入れ子にするステップは、第２のケージ基部の中に挿入される第１のケージ基部を備えている、実施形態Ｈ１に記載の方法。
【０３０８】
Ｈ３．  第２のケージ基部の壁の上縁は、動物格納ケージ構成要素グロメットに接触する、実施形態Ｈ２に記載の方法。
【０３０９】
Ｈ４．  第２のケージ基部の壁の上縁は、フランジである、実施形態Ｈ３に記載の方法。
【０３１０】
Ｈ５．  動物格納ケージ構成要素グロメットは、外部部材と係合された内部部材を備え、第２のケージ基部の壁は、動物格納ケージ構成要素グロメットの外部部材に接触する、実施形態Ｈ３またはＨ４に記載の方法。
【０３１１】
Ｈ５．１．  外部部材は、延長部材を備え、延長部材は、第２のケージ基部の壁の上縁に接触する、実施形態Ｈ５に記載の方法。
【０３１２】
Ｈ６．  外部部材との第２のケージ基部の壁の接触は、内部部材に対する外部部材の上向きの変位をもたらす、実施形態Ｈ５またはＨ５．１に記載の方法。
【０３１３】
Ｈ７．  内部部材に対する外部部材の上向きの変位は、グロメットの外部部材をグロメットの内部部材から係合解除させ、グロメットをケージ基部壁から取り外させる、実施形態Ｈ６に記載の方法。
【０３１４】
Ｈ８．  取り外された内部部材は、第１のケージ基部の内部にある、実施形態Ｈ７に記載の方法。
【０３１５】
Ｈ９．  取り外された外部部材は、第１のケージ基部の外部にある、実施形態Ｈ７に記載の方法。
【０３１６】
Ｈ１０．  取り外された外部部材は、再利用のために収集される、実施形態Ｈ９に記載の方法。
【０３１７】
Ｈ１１．  ケージ基部およびグロメットは、同一の再生利用可能ポリマーから作製される、実施形態Ｈ１−Ｈ１０のいずれか１つに記載の方法。
【０３１８】
Ｈ１２．  動物格納ケージ構成要素グロメットは、給水管との使用のために構成される、実施形態Ｈ１−Ｈ１１のいずれか１つに記載の方法。
【０３１９】
Ｈ１３．  第１のケージ基部の内部の係合解除されたグロメットは、第１のケージ基部の底部に対して平坦であるように向けられる、実施形態Ｈ８に記載の方法。
【０３２０】
Ｈ１４．  取り外し可能な動物格納ケージ構成要素グロメットは、取り外し可能なげっ歯類格納ケージ構成要素グロメットである、実施形態Ｈ１−Ｈ１３のいずれか１つに記載の方法。
Ｉ１．  げっ歯類格納ケージ構成要素グロメットであって、
給水管の挿入のための開口と、オス型スライド部材とを備えている内部部材と、
開口へのアクセスのためのスライドドアと、メス型スライド部材と、延長部材とを備えている外部部材と、
を備え、（ｉ）オス型スライド部材は、メス型スライド部材に係合し、内部部材および外部部材を関連付け、組み立てられたグロメットを生成するように構成され、（ｉｉ）組み立てられたグロメットは、内部部材がケージ基部の外部に位置付けられる外部部材に接触し、オス型およびメス型スライド部材に係合するように、ケージ基部壁内の開口部を通してケージ基部の内部から挿入されるとき、ケージ基部壁に取り付けられ、（ｉｉｉ）ケージ基部壁に取り付けられたときの組み立てられたグロメットは、ケージ基部が別のケージ基部と入れ子にされ、他方のケージ基部の壁が延長部材に接触するとき、分解され、ケージ基部壁から取り外される、
げっ歯類格納ケージ構成要素グロメット。
＊    ＊    ＊
【０３２１】
本明細書で参照される各特許、特許出願、出版物、および文書の全体は、参照することによって本明細書に組み込まれる。上記の特許、特許出願、出版物、および文書の引用は、前述のうちのいずれかが関連従来技術であるという承認でもなく、これらの出版物または文書の内容または日付に関していずれの承認も構成しない。それらの引用は、関連性がある開示の検索の指標ではない。文書の日付または内容に関する全ての記述は、利用可能な情報に基づき、それらの正確度または正当性に関する承認ではない。
【０３２２】
修正が、本技術の基本的側面から逸脱することなく、前述に行われ得る。本技術は、１つ以上の具体的実施形態を参照して、実質的に詳細に説明されたが、当業者は、変更が本願に具体的に開示される具体的に行われ得るが、これらの修正および改良は、本技術の範囲および精神内に該当することを認識するであろう。
【０３２３】
本明細書に例証的に説明される技術は、本明細書に具体的に開示されていない、いずれの要素も存在しない場合に好適に実践され得る。したがって、例えば、本明細書の各事例において、用語「ｃｏｍｐｒｉｓｉｎｇ（〜を備えている）」、「ｃｏｎｓｉｓｔｉｎｇ  ｅｓｓｅｎｔｉａｌｌｙ  ｏｆ（本質的に〜から成る）」、および「ｃｏｎｓｉｓｔｉｎｇ  ｏｆ（〜から成る）」のうちのいずれかが、他の２つの用語のうちのいずれかと置換され得る。採用された用語および表現は、限定ではなくて説明の用語として使用され、そのような用語および表現の使用は、示され、説明される特徴またはその一部のいずれの均等物も除外せず、種々の修正が、請求される技術の範囲内で可能である。用語「ａ」または「ａｎ」は、要素のうちの１つまたは要素のうちの１つを上回るもののいずれかが説明されることが、文脈上明確となるまで、それが修飾する要素のうちの１つまたは複数を指すことができる（例えば、「ａ  ｒｅａｇｅｎｔ（試薬）」は、１つ以上の試薬を意味することができる）。本明細書で使用されるような用語「約」は、基礎的パラメータの１０％以内の値（すなわち、プラスまたはマイナス１０％）を指し、一連の値の初めの用語「約」の使用は、値のそれぞれを修飾する（すなわち、「約１、２、および３」は、約１、約２、および約３を指す）。例えば、「約１００グラム」の重量は、９０グラム〜１１０グラムの重量を含むことができる。さらに、値の一覧が本明細書に説明される（例えば、約５０％、６０％、７０％、８０％、８５％または８６％）とき、一覧は、それらの全ての中間および小数値（例えば、５４％、８５．４％）を含む。したがって、本技術は、代表的な実施形態および随意の特徴によって具体的に開示されたが、本明細書に開示される概念の修正および変形例は、当業者によって再分類され得、そのような修正および変形例は、本技術の範囲内と見なされることを理解されたい。
【０３２４】
本技術のある実施形態が、続く請求項に記載される。
【図１】
2021528064.tif 000004
【図２】
2021528064.tif 000005
【図３】
2021528064.tif 000006
【図４】
2021528064.tif 000007
【図５】
2021528064.tif 000008
【図６】
2021528064.tif 000009
【図７】
2021528064.tif 000010
【図８】
2021528064.tif 000011
【図９】
2021528064.tif 000012
【図１０Ａ】
2021528064.tif 000013
【図１０Ｂ】
2021528064.tif 000014
【図１０Ｃ】
2021528064.tif 000015
【図１０Ｄ】
2021528064.tif 000016
【図１１Ａ】
2021528064.tif 000017
【図１１Ｂ】
2021528064.tif 000018
【図１２Ａ】
2021528064.tif 000019
【図１２Ｂ】
2021528064.tif 000020
【図１２Ｃ】
2021528064.tif 000021
【図１３】
2021528064.tif 000022
【図１４】
2021528064.tif 000023
【図１５】
2021528064.tif 000024
【図１６】
2021528064.tif 000025
【図１７】
2021528064.tif 000026
【図１８】
2021528064.tif 000027
【図１９】
2021528064.tif 000028
【図２０】
2021528064.tif 000029
【図２１】
2021528064.tif 000030
【国際調査報告】
2021528064.tif 000031
2021528064.tif 000032
2021528064.tif 000033